(57)【要約】【課題】監視領域における利用者の帰宅および外出した旨を他の利用者が正確に把握すること。【解決手段】警備装置１１０において、親と子供とを含む利用者に固有の利用者ＩＤと、親と子供の区別を示す区別情報と、親の通報先とを対応付けて登録した利用者情報を記憶する利用者データベース１１７と、住戸の出入り口において、利用者による利用者ＩＤの入力を受け付けるＲＦＩＤ検知部１０３と、ＲＦＩＤ検知部１０３によって受け付けた利用者ＩＤが、利用者情報に登録されている利用者ＩＤであるか否かを照合することにより利用者認証を行う認証部１５３と、住戸の出入り口において、認証部１５３によって認証された子供による外出信号を受け付ける操作表示部１０２と、操作表示部１０２によって外出信号を受け付けた場合に、外出情報を親の通報先に送信する外出処理部１５８と、を備えた。【選択図】        図１
2007133693.tif 000002
【特許請求の範囲】
【請求項１】
住戸を含む監視領域における異常を検知し、ネットワークにより通報先端末と接続された警備装置において、
第１の利用者と第２の利用者とを含む利用者に固有の利用者識別情報と、前記第１の利用者と前記第２の利用者の区別を示す区別情報と、前記第１の利用者の通報先とを対応付けて登録した利用者情報を記憶する利用者情報記憶手段と、
前記住戸の出入り口において、前記利用者による前記利用者識別情報の入力を受け付ける検知手段と、
前記検知手段によって受け付けた前記利用者識別情報が、前記利用者情報に登録されている前記利用者識別情報であるか否かを照合することにより利用者認証を行う認証手段と、
前記住戸の出入り口において、前記認証手段によって認証された前記第２の利用者による前記住戸から外出する旨の外出信号の行動選択を受け付ける操作表示手段と、
前記操作表示手段によって前記外出信号を受け付けた場合に、前記認証された前記第２の利用者が外出した旨を示す外出情報を前記第１の利用者の前記通報先に送信する外出処理手段と、
を備えたことを特徴とする警備装置。
【請求項２】
前記操作表示手段によって、前記認証手段によって認証された前記第２の利用者による前記住戸に帰宅する旨の帰宅信号を受け付けた場合に、前記認証された前記第２の利用者が帰宅した旨を示す帰宅情報を前記第１の利用者の前記通報先に送信する帰宅処理手段を、更に備え、
前記操作表示手段は、更に、前記帰宅信号の行動選択を受け付けること、
を特徴とする請求項１に記載の警備装置。
【請求項３】
前記監視領域において、異常を検知した場合における前記通報先への通報の可否または前記監視領域に対する報知の可否など、警備装置の動作を決定する複数の状態からなる警備モードを記憶する警備モード記憶手段と、
前記監視領域の前記警備モードを、前記警備モード記憶手段に記憶させることにより、前記監視領域における現在の警備モードを切替設定する警備モード切替手段と、を備え、
前記利用者情報は、更に、前記利用者識別情報と、前記利用者が前記住戸に在宅しているか否かを示す在宅状況とを対応付けて登録し、
前記帰宅処理手段は、前記認証された前記利用者識別情報が前記第１の利用者の前記利用者識別情報であるか前記第２の利用者の前記利用者識別情報であるかを前記区別情報により判断し、前記操作表示手段によって前記利用者による前記帰宅信号を受け付けた場合、前記利用者情報における受け付けた前記利用者識別情報に対応する前記在宅状況に帰宅した旨を登録し、
前記警備モード切替手段は、前記帰宅処理手段によって、受け付けた前記利用者識別情報が前記第２の利用者の前記利用者識別情報であると判断された場合で、前記在宅状況に基づいて、前記第１の利用者が外出中で、かつ前記第２の利用者が最初に帰宅した者であると判断した場合は、前記警備モード記憶手段に記憶されている現在の前記警備モードを、異常を検知しても通報を行わない警備解除状態に切替えること、
を特徴とする請求項２に記載の警備装置。
【請求項４】
前記外出処理手段は、前記認証された前記利用者識別情報が前記第１の利用者の前記利用者識別情報であるか前記第２の利用者の前記利用者識別情報であるかを前記区別情報により判断し、前記操作表示手段によって前記利用者による前記外出信号を受け付けた場合、前記利用者情報における受け付けた前記利用者識別情報に対応する前記在宅状況に外出した旨を登録し、
前記警備モード切替手段は、前記外出処理手段によって、受け付けた前記利用者識別情報が前記第２の利用者の前記利用者識別情報であると判断された場合で、前記在宅状況に基づいて、前記第１の利用者が外出中で、かつ前記第２の利用者が最後に外出した者であると判断した場合は、前記警備モード記憶手段に記憶されている現在の前記警備モードを、異常が検知された場合に通報を行う警備状態に切替えること、
を特徴とする請求項２または３に記載の警備装置。
【請求項５】
前記帰宅処理手段は、更に、前記第１の利用者の前記利用者識別情報に対応する前記在宅状況に在宅している旨が登録されている場合、前記帰宅情報を前記第１の利用者の前記通報先に送信せず、
前記外出処理手段は、更に、前記利用者情報に登録されている前記第１の利用者の前記利用者識別情報に対応する前記在宅状況に在宅している旨が登録されている場合、前記外出情報を前記第１の利用者の前記通報先に送信しないこと、
を特徴とする請求項４に記載の警備装置。
【請求項６】
前記操作表示手段は、さらに、前記認証手段により認証された利用者によって、前記帰宅情報を前記第１の利用者の前記通報先に送信しない旨または前記外出情報を前記第１の利用者の前記通報先に送信しない旨を設定する帰宅・外出通報禁止設定の可否を受け付け、
前記帰宅処理手段は、前記帰宅・外出通報禁止の設定が行われている場合、前記帰宅情報を前記第１の利用者の前記通報先に送信せず、
前記外出処理手段は、前記帰宅・外出通報禁止の設定が行われている場合、前記外出情報を前記第１の利用者の前記通報先に送信しないこと、
を特徴とする請求項５に記載の警備装置。
【請求項７】
前記利用者情報は、更に、前記利用者識別情報と、前記第２の利用者が前記住戸に帰宅する予定時刻である帰宅予定時刻とを対応付けて登録し、
前記帰宅処理手段は、外出中の前記第２の利用者が存在すると判断した場合で、かつ現在時刻が前記利用者情報に登録されている前記外出中の第２の利用者の前記帰宅予定時刻を経過している場合には、前記外出中の第２の利用者の前記帰宅予定時刻が経過している旨を示す帰宅遅延情報を前記第１の利用者の前記通報先に送信すること、
を特徴とする請求項２〜６のいずれか一つに記載の警備装置。
【請求項８】
現在時刻が前記帰宅予定時刻を経過している場合、前記外出中の第２の利用者の所持する携帯端末から前記第２の利用者の位置を示す位置情報を取得する位置情報取得手段を更に備え、
前記帰宅処理手段は、更に、前記位置情報を前記帰宅遅延情報とともに前記第１の利用者の前記通報先に送信すること、
を特徴とする請求項７に記載の警備装置。
【請求項９】
現在時刻が前記帰宅予定時刻を経過している場合、前記操作表示手段への前記帰宅信号の入力を促す報知を行う報知手段と、を更に備え、
前記帰宅処理手段は、前記報知手段によって報知がなされた後、所定時間内に前記操作表示手段によって前記帰宅信号を受け付けた場合は、前記第１の利用者の前記通報先に前記帰宅遅延情報および前記位置情報を送信しないこと、
を特徴とする請求項７または８に記載の警備装置。
【請求項１０】
住戸を含む監視領域における異常を検知する警備装置と、前記警備装置とネットワークで接続され、前記警備装置からの情報を受信して所定の監視処理を実行する監視センタとを備える警備システムにおいて、
前記警備装置は、
第１の利用者と第２の利用者とを含む利用者に固有の利用者識別情報を登録した利用者情報を記憶する利用者情報記憶手段と、
前記住戸の出入り口において、前記利用者による前記利用者識別情報の入力を受け付ける検知手段と、
前記検知手段によって受け付けた前記利用者識別情報が、前記利用者情報に登録されている前記利用者識別情報であるか否かを照合することにより利用者認証を行う認証手段と、
前記住戸の出入り口において、前記認証手段によって認証された前記第２の利用者による前記住戸から外出する旨の外出信号の行動選択を受け付ける操作表示手段と、
前記認証手段によって認証された前記利用者識別情報および前記操作表示手段によって受け付けた前記外出信号を、前記監視センタに送信する第１の送受信手段と、を備え、
前記監視センタは、
前記利用者識別情報と、前記第１の利用者と前記第２の利用者の区別を示す区別情報と、前記区別情報が前記第１の利用者である場合に前記利用者識別情報と前記第１の利用者の通報先とを対応付けて登録した通報先情報を記憶する通報先情報記憶手段と、
前記警備装置から前記利用者識別情報および前記外出信号を受信する第２の送受信手段と、
前記第２の送受信手段によって前記利用者識別情報および前記外出信号を受信した場合に、前記受信した前記利用者識別情報の前記第２の利用者が外出した旨を示す外出情報を前記第１の利用者の前記通報先に送信する外出処理手段と、
を備えることを特徴とする警備システム。
【請求項１１】
前記警備装置は、
操作表示手段は、更に、前記住戸の出入り口において、前記認証手段によって認証された前記第２の利用者による前記住戸に帰宅する旨の帰宅信号の行動選択を受け付け、
第１の送受信手段は、更に、前記認証手段によって認証された前記利用者識別情報および前記操作表示手段によって受け付けた前記帰宅信号を、前記監視センタに送信し、
前記監視センタは、
前記第２の送受信手段によって受信した前記利用者識別情報および前記帰宅信号を受信した場合に、前記受信した前記利用者識別情報の前記第２の利用者が帰宅した旨を示す帰宅情報を前記第１の利用者の前記通報先に送信する帰宅処理手段と、を更に備え、
第２の送受信手段は、更に、前記警備装置から前記利用者識別情報および前記帰宅信号を受信すること、
を特徴とする請求項１０に記載の警備システム。
【請求項１２】
前記監視センタは、
前記通報先情報は、更に、前記利用者識別情報と、前記利用者が前記住戸に在宅しているか否かを示す在宅状況とを対応付けて登録し、
前記帰宅処理手段は、前記第２の送受信手段によって受信した前記利用者識別情報が前記第１の利用者の前記利用者識別情報であるか前記第２の利用者の前記利用者識別情報であるかを前記区別情報により判断し、前記在宅状況から、受信した前記利用者識別情報の前記利用者が前記住戸への最初の帰宅者であるか否かを判断し、さらに、前記第２の送受信手段によって前記帰宅信号を受信した場合、前記通報先情報における受信した前記利用者識別情報に対応する前記在宅状況に帰宅した旨を登録し、
前記第２の送受信手段は、前記帰宅処理手段によって判断された前記利用者識別情報が、前記第２の利用者の前記利用者識別情報で、前記在宅状況に基づいて、前記第１の利用者が外出中で、かつ前記第２の利用者が前記住戸への最初の帰宅者であった場合、その旨を前記警備装置に送信し、
前記警備装置は、
前記監視領域において、異常を検知した場合における通報先への通報の可否または前記監視領域に対する報知の可否など、警備装置の動作を決定する複数の状態からなる警備モードを記憶する警備モード記憶手段と、
前記監視領域の前記警備モードを、前記警備モード記憶手段に記憶させることにより、前記監視領域における現在の警備モードを切替設定する警備モード切替手段と、を更に備え、
前記第１の送受信手段は、受け付けた前記利用者識別情報が前記第２の利用者の前記利用者識別情報で、前記在宅状況に基づいて、前記第１の利用者が外出中で、かつ前記第２の利用者が前記住戸への最初の帰宅者であった旨を監視センタから受信し、
前記警備モード切替手段は、前記第１の送受信手段によって、受け付けた前記利用者識別情報が、前記第２の利用者の前記利用者識別情報で、前記在宅状況に基づいて、前記第１の利用者が外出中で、かつ前記第２の利用者が前記住戸への最初の帰宅者であった旨を受信した場合、前記警備モード記憶手段に記憶されている警備モードを、異常を検知しても通報を行わない警備解除状態に切替えること、
を特徴とする請求項１１に記載の警備システム。
【請求項１３】
前記外出処理手段は、前記第２の送受信手段によって受信した前記利用者識別情報が前記第１の利用者の前記利用者識別情報であるか前記第２の利用者の前記利用者識別情報であるかを前記区別情報により判断し、前記在宅状況から、受信した前記利用者識別情報の前記利用者が前記住戸からの最後の外出者であるか否かを判断し、さらに、前記第２の送受信手段によって前記外出信号を受信した場合、前記通報先情報における受信した前記利用者識別情報に対応する前記在宅状況に外出した旨を登録し、
前記第２の送受信手段は、前記外出処理手段によって判断された前記利用者識別情報が前記第２の利用者の前記利用者識別情報で、前記在宅状況に基づいて、前記第１の利用者が外出中で、かつ前記第２の利用者が前記住戸からの最後の外出者であった場合、その旨を前記警備装置に送信し、
前記第１の送受信手段は、受け付けた前記利用者識別情報が、前記第２の利用者の前記利用者識別情報で、前記在宅状況に基づいて、前記第１の利用者が外出中で、かつ前記第２の利用者が前記住戸からの最後の外出者であった旨を監視センタから受信し、
前記警備モード切替手段は、前記第１の送受信手段によって、受け付けた前記利用者識別情報が、前記第２の利用者の前記利用者識別情報で、前記在宅状況に基づいて、前記第１の利用者が外出中で、かつ前記第２の利用者が前記住戸からの最後の外出者であった旨を受信した場合、前記警備モード記憶手段に記憶されている警備モードを、異常が検知された場合に通報を行う警備状態に切替えること、
を特徴とする請求項１１または１２に記載の警備システム。
【請求項１４】
前記帰宅処理手段は、更に、前記第１の利用者の前記利用者識別情報に対応する前記在宅状況に在宅している旨が登録されている場合、前記帰宅情報を前記第１の利用者の前記通報先に送信せず、
前記外出処理手段は、更に、前記第１の利用者の前記利用者識別情報に対応する前記在宅状況に在宅している旨が登録されている場合、前記外出情報を前記第１の利用者の前記通報先端末に送信しないこと、
を特徴とする請求項１３に記載の警備システム。
【請求項１５】
前記操作表示手段は、さらに、前記認証手段により認証された利用者によって、前記帰宅情報を前記第１の利用者の前記通報先に送信しない旨または前記外出情報を前記第１の利用者の前記通報先に送信しない旨を設定する帰宅・外出通報禁止設定の可否を受け付け、
前記第１の送受信手段は、前記操作表示手段から受け付けた前記帰宅・外出通報禁止設定の可否を前記監視センタに送信し、
前記第２の送受信手段は、前記警備装置から前記帰宅・外出通報禁止設定の可否を受信し、
前記帰宅処理手段は、前記帰宅・外出通報禁止の設定が行われている場合、前記帰宅情報を前記第１の利用者の前記通報先に送信せず、
前記外出処理手段は、前記帰宅・外出通報禁止の設定が行われている場合、前記外出情報を前記第１の利用者の前記通報先に送信しないこと、
を特徴とする請求項１４に記載の警備システム。
【請求項１６】
前記通報先情報は、更に、前記利用者識別情報と、前記第２の利用者が前記住戸に帰宅する予定時刻である帰宅予定時刻とを対応付けて登録し、
前記帰宅処理手段は、外出中の前記第２の利用者が存在すると判断した場合で、かつ現在時刻が前記通報先情報に登録されている前記外出中の第２の利用者の前記帰宅予定時刻を経過している場合には、前記外出中の第２の利用者の前記帰宅予定時刻が経過している旨を示す帰宅遅延情報を前記第１の利用者の前記通報先に送信すること、
を特徴とする請求項１１〜１５のいずれか一つに記載の警備システム。
【請求項１７】
前記監視センタは、
現在時刻が前記帰宅予定時刻を経過している場合、前記外出中の第２の利用者の所持する携帯端末から前記第２の利用者の位置を示す位置情報を取得する位置情報取得手段を更に備え、
前記帰宅処理手段は、更に、前記位置情報を前記帰宅遅延情報とともに前記第１の利用者の前記通報先に送信すること、
を特徴とする請求項１６に記載の警備システム。
【請求項１８】
前記第２の送受信手段は、さらに、前記帰宅処理手段によって現在時刻が前記帰宅予定時刻を経過していると判断された場合、前記第２の利用者の前記帰宅予定時刻が経過した旨を前記警備装置に送信し、
前記帰宅処理手段は、前記第２の利用者の前記帰宅予定時刻が経過した旨の送信後に前記第２の送受信手段によって前記帰宅信号を受信した場合は、前記第１の利用者の前記通報先に、前記帰宅遅延情報および前記位置情報を送信せず、
前記警備装置は、
前記第１の送受信手段によって、前記監視センタから前記帰宅予定時刻を経過した旨を受信した場合、前記操作表示手段への前記帰宅信号の入力を促す報知を行う報知手段を更に備え、
前記第１の送受信手段は、前記報知手段によって報知がなされた後、所定時間内に前記操作表示手段によって前記第２の利用者の前記帰宅信号を受け付けた場合、前記帰宅信号を監視センタへ送信すること、
を特徴とする請求項１６または１７に記載の警備システム。
【請求項１９】
監視領域に含まれる住戸の出入り口において、第１の利用者と第２の利用者とを含む利用者に固有の利用者識別情報の入力を受け付ける検知ステップと、
前記検知ステップによって受け付けた前記利用者識別情報が、前記利用者識別情報と前記第１の利用者と前記第２の利用者の区別を示す区別情報と前記第１の利用者の通報先とを対応付けて登録した利用者情報に登録されている前記利用者識別情報であるか否かを照合することにより利用者認証を行う認証ステップと、
前記住戸の出入り口において、前記認証ステップによって認証された前記第２の利用者による前記住戸から外出する旨の外出信号の行動選択を受け付ける行動選択受付ステップと、
前記行動選択受付ステップによって前記外出信号を受け付けた場合に、前記認証された前記第２の利用者が外出した旨を示す外出情報を前記通報先に送信する外出処理ステップと、
を含むことを特徴とする警備方法。
【請求項２０】
住戸を含む監視領域における異常を検知する警備装置と、前記警備装置とネットワークで接続され、前記警備装置からの情報を受信して所定の監視処理を実行する監視センタとの間で実行される警備方法おいて、
前記警備装置において、前記住戸の出入り口において、第１の利用者と第２の利用者を含む利用者に固有の利用者識別情報の入力を受け付ける検知ステップと、
前記警備装置において、前記検知ステップによって受け付けた前記利用者識別情報が、前記利用者識別情報を登録した利用者情報に登録されている前記利用者識別情報であるか否かを照合することにより利用者認証を行う認証ステップと、
前記警備装置において、前記住戸の出入り口において、前記認証ステップによって認証された前記第２の利用者による前記住戸から外出する旨の外出信号の行動選択を受け付ける行動選択受付ステップと、
前記警備装置において、前記認証ステップによって認証された前記利用者識別情報および前記行動選択受け付けステップによって受け付けた前記外出信号を、前記監視センタに送信する送信ステップと、を備え、
前記監視センタにおいて、前記警備装置から前記利用者識別情報および前記外出信号を受信する受信ステップと、
前記監視センタにおいて、前記受信ステップによって前記利用者識別情報および前記外出信号を受信した場合に、前記受信した前記利用者識別情報の前記第２の利用者が外出した旨を示す外出情報として前記第１の利用者の前記通報先に送信する外出処理ステップと、
を含むことを特徴とする警備方法。
【発明の詳細な説明】
【技術分野】
【０００１】
本発明は、監視領域に利用者が帰宅した場合、または監視領域から利用者が外出した場合に、他の利用者の通報先端末に帰宅、外出の旨を通知する警備装置、警備システム及び警備方法に関する。
【背景技術】
【０００２】
従来、集合住宅の共同設備として、共同玄関（エントランス）で帰宅した利用者により認証データの入力を受け付けると、入力された認証データをセンタサーバに送信し、該センタサーバにおいて予め登録された認証データと照合を行う。そして、該センタサーバに予め選択して登録されている他の利用者の通報先端末であるメールアドレス宛に帰宅を示す電子メールを送信する技術が公開されている（例えば、特許文献１参照）。
【０００３】
【特許文献１】特開２００４−２１４９３７号公報
【発明の開示】
【発明が解決しようとする課題】
【０００４】
しかしながら、集合住宅のエントランスにおいて利用者の認証が行われた場合、該エントランスから個々の住戸までの間に誘拐等がなされる場合や、該エントランスでの認証の後、住戸に帰宅せずそのまま外出してしまう場合もある。このような場合でも、通報先端末を所持する他の利用者に帰宅を示す電子メールが届き、利用者が帰宅したものと誤解してしまうため、利用者が実際には外出している旨を正確に把握することができないという問題があった。
【０００５】
また、特許文献１では、利用者の帰宅に際してのみ電子メールを送信するが、一旦帰宅した後に利用者が外出した場合、他の利用者は帰宅後に外出したという状況を把握することができず、利用者が在宅していると誤解して認識してしまうという問題もあった。
【０００６】
本発明は、上記に鑑みてなされたものであって、監視領域における利用者が外出した旨を他の利用者に通報し、他の利用者が監視領域における利用者の状況を一旦帰宅したか否かにかかわらず正確に把握することができる警備装置、警備システム、及び警備方法を得ることを目的とする。
【課題を解決するための手段】
【０００７】
上述した課題を解決し、目的を達成するために、請求項１にかかる発明は、住戸を含む監視領域における異常を検知し、ネットワークにより通報先端末と接続された警備装置において、第１の利用者と第２の利用者とを含む利用者に固有の利用者識別情報と、前記第１の利用者と前記第２の利用者の区別を示す区別情報と、前記第１の利用者の通報先とを対応付けて登録した利用者情報を記憶する利用者情報記憶手段と、前記住戸の出入り口において、前記利用者による前記利用者識別情報の入力を受け付ける検知手段と、前記検知手段によって受け付けた前記利用者識別情報が、前記利用者情報に登録されている前記利用者識別情報であるか否かを照合することにより利用者認証を行う認証手段と、前記住戸の出入り口において、前記認証手段によって認証された前記第２の利用者による前記住戸から外出する旨の外出信号の行動選択を受け付ける操作表示手段と、前記操作表示手段によって前記外出信号を受け付けた場合に、前記認証された前記第２の利用者が外出した旨を示す外出情報を前記第１の利用者の前記通報先に送信する外出処理手段と、を備えたことを特徴とする。
【０００８】
また、請求項２にかかる発明は、請求項１に記載の警備装置において、前記操作表示手段によって、前記認証手段によって認証された前記第２の利用者による前記住戸に帰宅する旨の帰宅信号を受け付けた場合に、前記認証された前記第２の利用者が帰宅した旨を示す帰宅情報を前記第１の利用者の前記通報先に送信する帰宅処理手段を、更に備え、前記操作表示手段は、更に、前記帰宅信号の行動選択を受け付けること、を特徴とする。
【０００９】
また、請求項３にかかる発明は、請求項２に記載の警備装置において、前記監視領域において、異常を検知した場合における前記通報先への通報の可否または前記監視領域に対する報知の可否など、警備装置の動作を決定する複数の状態からなる警備モードを記憶する警備モード記憶手段と、前記監視領域の前記警備モードを、前記警備モード記憶手段に記憶させることにより、前記監視領域における現在の警備モードを切替設定する警備モード切替手段と、を備え、前記利用者情報は、更に、前記利用者識別情報と、前記利用者が前記住戸に在宅しているか否かを示す在宅状況とを対応付けて登録し、前記帰宅処理手段は、前記認証された前記利用者識別情報が前記第１の利用者の前記利用者識別情報であるか前記第２の利用者の前記利用者識別情報であるかを前記区別情報により判断し、前記操作表示手段によって前記利用者による前記帰宅信号を受け付けた場合、前記利用者情報における受け付けた前記利用者識別情報に対応する前記在宅状況に帰宅した旨を登録し、前記警備モード切替手段は、前記帰宅処理手段によって、受け付けた前記利用者識別情報が前記第２の利用者の前記利用者識別情報であると判断された場合で、前記在宅状況に基づいて、前記第１の利用者が外出中で、かつ前記第２の利用者が最初に帰宅した者であると判断した場合は、前記警備モード記憶手段に記憶されている現在の前記警備モードを、異常を検知しても通報を行わない警備解除状態に切替えること、を特徴とする。
【００１０】
また、請求項４にかかる発明は、請求項２または３に記載の警備装置において、前記外出処理手段は、前記認証された前記利用者識別情報が前記第１の利用者の前記利用者識別情報であるか前記第２の利用者の前記利用者識別情報であるかを前記区別情報により判断し、前記操作表示手段によって前記利用者による前記外出信号を受け付けた場合、前記利用者情報における受け付けた前記利用者識別情報に対応する前記在宅状況に外出した旨を登録し、前記警備モード切替手段は、前記外出処理手段によって、受け付けた前記利用者識別情報が前記第２の利用者の前記利用者識別情報であると判断された場合で、前記在宅状況に基づいて、前記第１の利用者が外出中で、かつ前記第２の利用者が最後に外出した者であると判断した場合は、前記警備モード記憶手段に記憶されている現在の前記警備モードを、異常が検知された場合に通報を行う警備状態に切替えること、を特徴とする。
【００１１】
また、請求項５にかかる発明は、請求項４に記載の警備装置において、前記帰宅処理手段は、更に、前記第１の利用者の前記利用者識別情報に対応する前記在宅状況に在宅している旨が登録されている場合、前記帰宅情報を前記第１の利用者の前記通報先に送信せず、前記外出処理手段は、更に、前記利用者情報に登録されている前記第１の利用者の前記利用者識別情報に対応する前記在宅状況に在宅している旨が登録されている場合、前記外出情報を前記第１の利用者の前記通報先に送信しないこと、を特徴とする。
【００１２】
また、請求項６にかかる発明は、請求項５に記載の警備装置において、前記操作表示手段は、さらに、前記認証手段により認証された利用者によって、前記帰宅情報を前記第１の利用者の前記通報先に送信しない旨または前記外出情報を前記第１の利用者の前記通報先に送信しない旨を設定する帰宅・外出通報禁止設定の可否を受け付け、前記帰宅処理手段は、前記帰宅・外出通報禁止の設定が行われている場合、前記帰宅情報を前記第１の利用者の前記通報先に送信せず、前記外出処理手段は、前記帰宅・外出通報禁止の設定が行われている場合、前記外出情報を前記第１の利用者の前記通報先に送信しないこと、を特徴とする。
【００１３】
また、請求項７にかかる発明は、請求項２〜６のいずれか一つに記載の警備装置において、前記利用者情報は、更に、前記利用者識別情報と、前記第２の利用者が前記住戸に帰宅する予定時刻である帰宅予定時刻とを対応付けて登録し、前記帰宅処理手段は、外出中の前記第２の利用者が存在すると判断した場合で、かつ現在時刻が前記利用者情報に登録されている前記外出中の第２の利用者の前記帰宅予定時刻を経過している場合には、前記外出中の第２の利用者の前記帰宅予定時刻が経過している旨を示す帰宅遅延情報を前記第１の利用者の前記通報先に送信すること、を特徴とする。
【００１４】
また、請求項８にかかる発明は、請求項７に記載の警備装置において、現在時刻が前記帰宅予定時刻を経過している場合、前記外出中の第２の利用者の所持する携帯端末から前記第２の利用者の位置を示す位置情報を取得する位置情報取得手段を更に備え、前記帰宅処理手段は、更に、前記位置情報を前記帰宅遅延情報とともに前記第１の利用者の前記通報先に送信すること、を特徴とする。
【００１５】
また、請求項９にかかる発明は、請求項７または８に記載の警備装置において、現在時刻が前記帰宅予定時刻を経過している場合、前記操作表示手段への前記帰宅信号の入力を促す報知を行う報知手段と、を更に備え、前記帰宅処理手段は、前記報知手段によって報知がなされた後、所定時間内に前記操作表示手段によって前記帰宅信号を受け付けた場合は、前記第１の利用者の前記通報先に前記帰宅遅延情報および前記位置情報を送信しないこと、を特徴とする。
【００１６】
また、請求項１０にかかる発明は、住戸を含む監視領域における異常を検知する警備装置と、前記警備装置とネットワークで接続され、前記警備装置からの情報を受信して所定の監視処理を実行する監視センタとを備える警備システムにおいて、前記警備装置は、第１の利用者と第２の利用者とを含む利用者に固有の利用者識別情報を登録した利用者情報を記憶する利用者情報記憶手段と、前記住戸の出入り口において、前記利用者による前記利用者識別情報の入力を受け付ける検知手段と、前記検知手段によって受け付けた前記利用者識別情報が、前記利用者情報に登録されている前記利用者識別情報であるか否かを照合することにより利用者認証を行う認証手段と、前記住戸の出入り口において、前記認証手段によって認証された前記第２の利用者による前記住戸から外出する旨の外出信号の行動選択を受け付ける操作表示手段と、前記認証手段によって認証された前記利用者識別情報および前記操作表示手段によって受け付けた前記外出信号を、前記監視センタに送信する第１の送受信手段と、を備え、前記監視センタは、前記利用者識別情報と、前記第１の利用者と前記第２の利用者の区別を示す区別情報と、前記区別情報が前記第１の利用者である場合に前記利用者識別情報と前記第１の利用者の通報先とを対応付けて登録した通報先情報を記憶する通報先情報記憶手段と、前記警備装置から前記利用者識別情報および前記外出信号を受信する第２の送受信手段と、前記第２の送受信手段によって前記利用者識別情報および前記外出信号を受信した場合に、前記受信した前記利用者識別情報の前記第２の利用者が外出した旨を示す外出情報を前記第１の利用者の前記通報先に送信する外出処理手段と、を備えることを特徴とする。
【００１７】
また、請求項１１にかかる発明は、請求項１０に記載の警備システムにおいて、前記警備装置は、操作表示手段は、更に、前記住戸の出入り口において、前記認証手段によって認証された前記第２の利用者による前記住戸に帰宅する旨の帰宅信号の行動選択を受け付け、第１の送受信手段は、更に、前記認証手段によって認証された前記利用者識別情報および前記操作表示手段によって受け付けた前記帰宅信号を、前記監視センタに送信し、前記監視センタは、前記第２の送受信手段によって受信した前記利用者識別情報および前記帰宅信号を受信した場合に、前記受信した前記利用者識別情報の前記第２の利用者が帰宅した旨を示す帰宅情報を前記第１の利用者の前記通報先に送信する帰宅処理手段と、を更に備え、第２の送受信手段は、更に、前記警備装置から前記利用者識別情報および前記帰宅信号を受信すること、を特徴とする。
【００１８】
また、請求項１２にかかる発明は、請求項１１に記載の警備システムにおいて、前記監視センタは、前記通報先情報は、更に、前記利用者識別情報と、前記利用者が前記住戸に在宅しているか否かを示す在宅状況とを対応付けて登録し、前記帰宅処理手段は、前記第２の送受信手段によって受信した前記利用者識別情報が前記第１の利用者の前記利用者識別情報であるか前記第２の利用者の前記利用者識別情報であるかを前記区別情報により判断し、前記在宅状況から、受信した前記利用者識別情報の前記利用者が前記住戸への最初の帰宅者であるか否かを判断し、さらに、前記第２の送受信手段によって前記帰宅信号を受信した場合、前記通報先情報における受信した前記利用者識別情報に対応する前記在宅状況に帰宅した旨を登録し、前記第２の送受信手段は、前記帰宅処理手段によって判断された前記利用者識別情報が、前記第２の利用者の前記利用者識別情報で、前記在宅状況に基づいて、前記第１の利用者が外出中で、かつ前記第２の利用者が前記住戸への最初の帰宅者であった場合、その旨を前記警備装置に送信し、前記警備装置は、前記監視領域において、異常を検知した場合における通報先への通報の可否または前記監視領域に対する報知の可否など、警備装置の動作を決定する複数の状態からなる警備モードを記憶する警備モード記憶手段と、前記監視領域の前記警備モードを、前記警備モード記憶手段に記憶させることにより、前記監視領域における現在の警備モードを切替設定する警備モード切替手段と、を更に備え、前記第１の送受信手段は、受け付けた前記利用者識別情報が前記第２の利用者の前記利用者識別情報で、前記在宅状況に基づいて、前記第１の利用者が外出中で、かつ前記第２の利用者が前記住戸への最初の帰宅者であった旨を監視センタから受信し、前記警備モード切替手段は、前記第１の送受信手段によって、受け付けた前記利用者識別情報が、前記第２の利用者の前記利用者識別情報で、前記在宅状況に基づいて、前記第１の利用者が外出中で、かつ前記第２の利用者が前記住戸への最初の帰宅者であった旨を受信した場合、前記警備モード記憶手段に記憶されている警備モードを、異常を検知しても通報を行わない警備解除状態に切替えること、を特徴とする。
【００１９】
また、請求項１３にかかる発明は、請求項１１または１２に記載の警備システムにおいて、前記外出処理手段は、前記第２の送受信手段によって受信した前記利用者識別情報が前記第１の利用者の前記利用者識別情報であるか前記第２の利用者の前記利用者識別情報であるかを前記区別情報により判断し、前記在宅状況から、受信した前記利用者識別情報の前記利用者が前記住戸からの最後の外出者であるか否かを判断し、さらに、前記第２の送受信手段によって前記外出信号を受信した場合、前記通報先情報における受信した前記利用者識別情報に対応する前記在宅状況に外出した旨を登録し、前記第２の送受信手段は、前記外出処理手段によって判断された前記利用者識別情報が前記第２の利用者の前記利用者識別情報で、前記在宅状況に基づいて、前記第１の利用者が外出中で、かつ前記第２の利用者が前記住戸からの最後の外出者であった場合、その旨を前記警備装置に送信し、前記第１の送受信手段は、受け付けた前記利用者識別情報が、前記第２の利用者の前記利用者識別情報で、前記在宅状況に基づいて、前記第１の利用者が外出中で、かつ前記第２の利用者が前記住戸からの最後の外出者であった旨を監視センタから受信し、前記警備モード切替手段は、前記第１の送受信手段によって、受け付けた前記利用者識別情報が、前記第２の利用者の前記利用者識別情報で、前記在宅状況に基づいて、前記第１の利用者が外出中で、かつ前記第２の利用者が前記住戸からの最後の外出者であった旨を受信した場合、前記警備モード記憶手段に記憶されている警備モードを、異常が検知された場合に通報を行う警備状態に切替えること、を特徴とする。
【００２０】
また、請求項１４にかかる発明は、請求項１３に記載の警備システムにおいて、前記帰宅処理手段は、更に、前記第１の利用者の前記利用者識別情報に対応する前記在宅状況に在宅している旨が登録されている場合、前記帰宅情報を前記第１の利用者の前記通報先に送信せず、前記外出処理手段は、更に、前記第１の利用者の前記利用者識別情報に対応する前記在宅状況に在宅している旨が登録されている場合、前記外出情報を前記第１の利用者の前記通報先端末に送信しないこと、を特徴とする。
【００２１】
また、請求項１５にかかる発明は、請求項１４に記載の警備システムにおいて、前記操作表示手段は、さらに、前記認証手段により認証された利用者によって、前記帰宅情報を前記第１の利用者の前記通報先に送信しない旨または前記外出情報を前記第１の利用者の前記通報先に送信しない旨を設定する帰宅・外出通報禁止設定の可否を受け付け、前記第１の送受信手段は、前記操作表示手段から受け付けた前記帰宅・外出通報禁止設定の可否を前記監視センタに送信し、前記第２の送受信手段は、前記警備装置から前記帰宅・外出通報禁止設定の可否を受信し、前記帰宅処理手段は、前記帰宅・外出通報禁止の設定が行われている場合、前記帰宅情報を前記第１の利用者の前記通報先に送信せず、前記外出処理手段は、前記帰宅・外出通報禁止の設定が行われている場合、前記外出情報を前記第１の利用者の前記通報先に送信しないこと、を特徴とする。
【００２２】
また、請求項１６にかかる発明は、請求項１１〜１５のいずれか一つに記載の警備システムにおいて、前記通報先情報は、更に、前記利用者識別情報と、前記第２の利用者が前記住戸に帰宅する予定時刻である帰宅予定時刻とを対応付けて登録し、前記帰宅処理手段は、外出中の前記第２の利用者が存在すると判断した場合で、かつ現在時刻が前記通報先情報に登録されている前記外出中の第２の利用者の前記帰宅予定時刻を経過している場合には、前記外出中の第２の利用者の前記帰宅予定時刻が経過している旨を示す帰宅遅延情報を前記第１の利用者の前記通報先に送信すること、を特徴とする。
【００２３】
また、請求項１７にかかる発明は、請求項１６に記載の警備システムにおいて、前記監視センタは、現在時刻が前記帰宅予定時刻を経過している場合、前記外出中の第２の利用者の所持する携帯端末から前記第２の利用者の位置を示す位置情報を取得する位置情報取得手段を更に備え、前記帰宅処理手段は、更に、前記位置情報を前記帰宅遅延情報とともに前記第１の利用者の前記通報先に送信すること、を特徴とする。
【００２４】
また、請求項１８にかかる発明は、請求項１６または１７に記載の警備システムにおいて、前記第２の送受信手段は、さらに、前記帰宅処理手段によって現在時刻が前記帰宅予定時刻を経過していると判断された場合、前記第２の利用者の前記帰宅予定時刻が経過した旨を前記警備装置に送信し、前記帰宅処理手段は、前記第２の利用者の前記帰宅予定時刻が経過した旨の送信後に前記第２の送受信手段によって前記帰宅信号を受信した場合は、前記第１の利用者の前記通報先に、前記帰宅遅延情報および前記位置情報を送信せず、前記警備装置は、前記第１の送受信手段によって、前記監視センタから前記帰宅予定時刻を経過した旨を受信した場合、前記操作表示手段への前記帰宅信号の入力を促す報知を行う報知手段を更に備え、前記第１の送受信手段は、前記報知手段によって報知がなされた後、所定時間内に前記操作表示手段によって前記第２の利用者の前記帰宅信号を受け付けた場合、前記帰宅信号を監視センタへ送信すること、を特徴とする。
【００２５】
また、請求項１９にかかる発明は、監視領域に含まれる住戸の出入り口において、第１の利用者と第２の利用者とを含む利用者に固有の利用者識別情報の入力を受け付ける検知ステップと、前記検知ステップによって受け付けた前記利用者識別情報が、前記利用者識別情報と前記第１の利用者と前記第２の利用者の区別を示す区別情報と前記第１の利用者の通報先とを対応付けて登録した利用者情報に登録されている前記利用者識別情報であるか否かを照合することにより利用者認証を行う認証ステップと、前記住戸の出入り口において、前記認証ステップによって認証された前記第２の利用者による前記住戸から外出する旨の外出信号の行動選択を受け付ける行動選択受付ステップと、前記行動選択受付ステップによって前記外出信号を受け付けた場合に、前記認証された前記第２の利用者が外出した旨を示す外出情報を前記通報先に送信する外出処理ステップと、を含むことを特徴とする。
【００２６】
また、請求項２０にかかる発明は、住戸を含む監視領域における異常を検知する警備装置と、前記警備装置とネットワークで接続され、前記警備装置からの情報を受信して所定の監視処理を実行する監視センタとの間で実行される警備方法おいて、前記警備装置において、前記住戸の出入り口において、第１の利用者と第２の利用者を含む利用者に固有の利用者識別情報の入力を受け付ける検知ステップと、前記警備装置において、前記検知ステップによって受け付けた前記利用者識別情報が、前記利用者識別情報を登録した利用者情報に登録されている前記利用者識別情報であるか否かを照合することにより利用者認証を行う認証ステップと、前記警備装置において、前記住戸の出入り口において、前記認証ステップによって認証された前記第２の利用者による前記住戸から外出する旨の外出信号の行動選択を受け付ける行動選択受付ステップと、前記警備装置において、前記認証ステップによって認証された前記利用者識別情報および前記行動選択受け付けステップによって受け付けた前記外出信号を、前記監視センタに送信する送信ステップと、を備え、前記監視センタにおいて、前記警備装置から前記利用者識別情報および前記外出信号を受信する受信ステップと、前記監視センタにおいて、前記受信ステップによって前記利用者識別情報および前記外出信号を受信した場合に、前記受信した前記利用者識別情報の前記第２の利用者が外出した旨を示す外出情報として前記第１の利用者の前記通報先に送信する外出処理ステップと、を含むことを特徴とする。
【発明の効果】
【００２７】
請求項１にかかる発明によれば、検知手段によって、住戸の出入り口において、利用者識別情報の入力を受け付け、認証手段によって、受け付けた利用者識別情報の認証を行い、操作表示手段によって、住戸の出入り口において、認証された第２の利用者の外出信号の行動選択を受け付け、外出処理手段によって、外出信号を受け付けた場合に、第２の利用者の外出情報を第１の利用者の通報先に送信する。従って、監視領域における第２の利用者の外出情報を第１の利用者に送信するため、第１の利用者が監視領域における第２の利用者の状況を一旦帰宅したか否かにかかわらず正確に把握することができるという効果を奏する。
【００２８】
また、請求項２にかかる発明によれば、操作表示手段によって、住戸の出入り口において、認証された第２の利用者の帰宅信号の行動選択を受け付け、帰宅処理手段によって、帰宅信号を受け付けた場合に、第２の利用者の帰宅情報を第１の利用者の通報先に送信する。従って、監視領域における第２の利用者の帰宅情報を第１の利用者に送信するため、第１の利用者が監視領域における第２の利用者の状況を正確に把握することができるという効果を奏する。
【００２９】
また、請求項３にかかる発明によれば、警備モード切替手段によって、監視領域における現在の警備モードを切替え、帰宅処理手段によって、認証された利用者識別情報が第１の利用者の利用者識別情報であるか第２の利用者の利用者識別情報であるかを区別情報により判断し、帰宅信号を受け付けた場合、在宅状況に帰宅した旨を登録し、警備モード切替手段によって、受け付けた利用者識別情報が第２の利用者であり、第１の利用者が外出中で、かつ第２の利用者が最初に帰宅した者であった場合は、現在の前記警備モードを警備解除状態に切替える。従って、警備状態に設定されている場合に、最初に帰宅した第２の利用者が監視領域に入室することによる異常を検知しても通報が行われないため、警備装置が誤作動することがなく、無用な通報を回避することができるという効果を奏する。
【００３０】
また、請求項４にかかる発明によれば、外出処理手段によって、認証された利用者識別情報が第１の利用者の利用者識別情報であるか第２の利用者の利用者識別情報であるかを区別情報により判断し、外出信号を受け付けた場合、在宅状況に外出した旨を登録し、警備モード切替手段によって、受け付けた利用者識別情報が第２の利用者であり、第１の利用者が外出中で、かつ第２の利用者が最後に外出した者であった場合は、現在の前記警備モードを警備状態に切替える。従って、警備解除状態に設定されていても、警備状態に設定せずに、最後に外出する第２の利用者が監視領域から退室しても、その後の監視領域の警備が行われるため、利用者は、安心して監視領域から外出することができるという効果を奏する。
【００３１】
また、請求項５にかかる発明によれば、帰宅処理手段によって、第２の利用者による帰宅信号を受け付けた場合、利用者情報の在宅状況に帰宅した旨を登録し、第１の利用者の在宅状況に在宅している旨が登録されている場合、帰宅情報を第１の利用者の通報先に送信せず、外出処理手段によって、第２の利用者による外出信号を受け付けた場合、利用者情報の在宅状況に外出した旨を登録し、第１の利用者の在宅状況に在宅している旨が登録されている場合、外出情報を第１の利用者の前記通報先に送信しない。この場合、通報を受ける第１の利用者が在宅している場合は、第２の利用者の帰宅情報および外出情報を送信しなくとも把握できるため、無用な通報を回避することができるという効果を奏する。
【００３２】
また、請求項６にかかる発明によれば、操作表示手段によって、帰宅・外出通報禁止設定の可否を受け付け、帰宅処理手段によって、帰宅・外出通報禁止の設定が行われている場合、帰宅情報を第１の利用者の通報先に送信せず、外出処理手段によって、帰宅・外出通報禁止の設定が行われている場合、外出情報を第１の利用者の通報先に送信しない。従って、利用者自ら第２の利用者の帰宅情報および外出情報の送信の有無を決定でき、第１の利用者が在室している場合や、外出している場合でも通報が不要な場合に、無用な通報を回避できるという効果を奏する。
【００３３】
また、請求項７にかかる発明によれば、帰宅処理手段によって、外出中の第２の利用者が存在すると判断した場合で、かつ現在時刻が外出中の第２の利用者の帰宅予定時刻を経過している場合には、外出中の第２の利用者の帰宅遅延情報を第１の利用者の通報先に送信する。従って、第２の利用者が帰宅予定時刻に帰宅していない場合、帰宅情報を送信しないだけでなく、帰宅遅延情報を送信することにより、第１の利用者は、第２の利用者が監視領域に帰宅していないことを正確に把握することができるという効果を奏する。
【００３４】
また、請求項８にかかる発明によれば、位置情報取得手段によって、現在時刻が帰宅予定時刻を経過している場合、外出中の第２の利用者の位置情報を取得し、帰宅処理手段によって、位置情報を帰宅遅延情報とともに第１の利用者の通報先に送信する。従って、第１の利用者は、帰宅遅延情報だけでなく、監視領域への帰宅前の第２の利用者の現在の位置を知ることができるため、第２の利用者の状況をより正確に把握することができ、安心を得ることができるという効果を奏する。
【００３５】
また、請求項９にかかる発明によれば、報知手段によって、現在時刻が帰宅予定時刻を経過している場合、帰宅信号の入力を促す報知を行い、帰宅処理手段によって、報知がなされた後、所定時間内に帰宅信号を受け付けた場合は、第１の利用者の通報先に帰宅遅延情報および位置情報を送信しない。従って、第２の利用者が帰宅信号の入力操作を行い忘れてしまった場合でも、報知によって入力操作を行い忘れていることを知らしめることができるため、その後に入力操作を行うことにより、帰宅遅延情報や位置情報の無用な通報を回避することができるという効果を奏する。
【００３６】
また、請求項１０にかかる発明によれば、検知手段によって、住戸の出入り口において、利用者識別情報の入力を受け付け、認証手段によって、受け付けた利用者識別情報が登録されているか否かを照合することにより利用者認証を行い、操作表示手段によって、住戸の出入り口において、認証された第２の利用者の外出信号の行動選択を受け付け、第１の送受信手段によって、認証された利用者識別情報および受け付けた外出信号を監視センタに送信し、第２の送受信手段によって、警備装置から利用者識別情報および外出信号を受信し、外出処理手段によって、受信した利用者識別情報の外出情報を第１の利用者の通報先に送信する。従って、監視領域における第２の利用者の外出情報を監視センタから第１の利用者に送信するため、利用者の情報を一括して管理できるとともに、第１の利用者が監視領域における第２の利用者の状況を一旦帰宅したか否かにかかわらず正確に把握することができるという効果を奏する。
【００３７】
また、請求項１１にかかる発明によれば、検知手段によって、住戸の出入り口において、利用者識別情報の入力を受け付け、認証手段によって、受け付けた利用者識別情報が登録されているか否かを照合することにより利用者認証を行い、操作表示手段によって、住戸の出入り口において、認証された第２の利用者の帰宅信号の行動選択を受け付け、第１の送受信手段によって、認証された利用者識別情報および受け付けた帰宅信号を監視センタに送信し、第２の送受信手段によって、警備装置から利用者識別情報および帰宅信号を受信し、帰宅処理手段によって、受信した利用者識別情報の帰宅情報を第１の利用者の通報先に送信する。従って、監視領域における第２の利用者の帰宅情報を監視センタから第１の利用者に送信するため、利用者の情報を一括して管理できるとともに、第１の利用者が監視領域における第２の利用者の状況を正確に把握することができるという効果を奏する。
【００３８】
また、請求項１２にかかる発明によれば、帰宅処理手段によって、受信した利用者識別情報が第１の利用者の利用者識別情報であるか第２の利用者の利用者識別情報であるかを区別情報により判断し、受信した利用者識別情報の利用者が住戸への最初の帰宅者であるか否かを判断し、さらに、帰宅信号を受信した場合、在宅状況に帰宅した旨を登録し、第２の送受信手段によって、帰宅処理手段により判断された利用者識別情報が、第２の利用者の利用者識別情報で、第１の利用者が外出中で、かつ第２の利用者が前記住戸への最初の帰宅者であった場合、その旨を警備装置に送信し、第１の送受信手段によって、受け付けた利用者識別情報が第２の利用者の利用者識別情報で、第１の利用者が外出中で、かつ第２の利用者が住戸への最初の帰宅者であった旨を監視センタから受信し、警備モード切替手段によって、受け付けた利用者識別情報が第２の利用者で、第１の利用者が外出中で、かつ第２の利用者が前記住戸への最初の帰宅者であった旨を受信した場合、警備モードを警備解除状態に切替える。従って、警備状態に設定されている場合に、最初に帰宅した第２の利用者が監視領域に入室することによる異常を検知しても通報が行われないため、警備装置が誤作動することがなく、無用な通報を回避することができるという効果を奏する。
【００３９】
また、請求項１３にかかる発明によれば、外出処理手段によって、受信した利用者識別情報が第１の利用者の利用者識別情報であるか第２の利用者の利用者識別情報であるかを区別情報により判断し、受信した利用者識別情報の利用者が住戸からの最後の外出者であるか否かを判断し、さらに、外出信号を受信した場合、在宅状況に外出した旨を登録し、第２の送受信手段によって、外出処理手段により判断された利用者識別情報が第２の利用者の利用者識別情報で、第１の利用者が外出中で、かつ第２の利用者が住戸からの最後の外出者であった場合、その旨を警備装置に送信し、第１の送受信手段によって、受け付けた利用者識別情報が、第２の利用者の利用者識別情報で、第１の利用者が外出中で、かつ第２の利用者が住戸からの最後の外出者であった旨を監視センタから受信し、警備モード切替手段によって、受け付けた利用者識別情報が第２の利用者で、第１の利用者が外出中で、かつ第２の利用者が住戸からの最後の外出者であった旨を受信した場合、警備モードを警備状態に切替える。従って、警備解除状態に設定されていても、警備状態に設定せずに、最後に外出する第２の利用者が監視領域から退室しても、その後の監視領域の警備が行われるため、利用者は、安心して監視領域から外出することができるという効果を奏する。
【００４０】
また、請求項１４にかかる発明によれば、帰宅処理手段によって、帰宅信号を受信した場合、在宅状況に帰宅した旨を登録し、第１の利用者の在宅状況に在宅している旨が登録されている場合、帰宅情報を第１の利用者の通報先に送信せず、外出処理手段によって、外出信号を受信した場合、在宅状況に外出した旨を登録し、第１の利用者の在宅状況に在宅している旨が登録されている場合、外出情報を第１の利用者の通報先端末に送信しない。従って、通報を受ける第１の利用者が在宅している場合は、第２の利用者の帰宅情報および外出情報を送信しなくとも把握できるため、無用な通報を回避することができるという効果を奏する。
【００４１】
また、請求項１５にかかる発明によれば、操作表示手段によって、帰宅・外出通報禁止設定の可否を受け付け、第１の送受信手段によって、受け付けた帰宅・外出通報禁止設定の可否を監視センタに送信し、第２の送受信手段によって、警備装置から帰宅・外出通報禁止設定の可否を受信し、帰宅処理手段によって、帰宅・外出通報禁止の設定が行われている場合、帰宅情報を第１の利用者の通報先に送信せず、外出処理手段によって、帰宅・外出通報禁止の設定が行われている場合、外出情報を第１の利用者の通報先に送信しない。従って、利用者自ら第２の利用者の帰宅情報および外出情報の送信の有無を決定でき、第１の利用者が在室している場合や、外出している場合でも通報が不要な場合に、無用な通報を回避することができるという効果を奏する。
【００４２】
また、請求項１６にかかる発明によれば、帰宅処理手段によって、外出中の第２の利用者が存在すると判断した場合で、かつ現在時刻が帰宅予定時刻を経過している場合には、外出中の第２の利用者の帰宅遅延情報を第１の利用者の通報先に送信する。従って、第２の利用者が帰宅予定時刻に帰宅していない場合、帰宅情報を送信しないだけでなく、帰宅遅延情報を送信することにより、第１の利用者は、第２の利用者が監視領域に帰宅していないことを正確に把握することができるという効果を奏する。
【００４３】
また、請求項１７にかかる発明によれば、位置情報取得手段によって、現在時刻が帰宅予定時刻を経過している場合、外出中の第２の位置情報を取得し、帰宅処理手段によって、位置情報を帰宅遅延情報とともに第１の利用者の通報先に送信する。従って、第１の利用者は、帰宅遅延情報だけでなく、監視領域への帰宅前の第２の利用者の現在の位置を知ることができるため、第２の利用者の状況をより正確に把握することができ、安心を得ることができるという効果を奏する。
【００４４】
また、請求項１８にかかる発明によれば、第２の送受信手段によって、現在時刻が前記帰宅予定時刻を経過している場合、第２の利用者の前記帰宅予定時刻が経過した旨を警備装置に送信し、帰宅処理手段によって、第２の利用者の帰宅予定時刻が経過した旨の送信後に帰宅信号を受信した場合は、第１の利用者の通報先に、帰宅遅延情報および位置情報を送信せず、報知手段によって、監視センタから帰宅予定時刻を経過した旨を受信した場合、帰宅信号の入力を促す報知を行い、第１の送受信手段によって、報知がなされた後に、第２の利用者の帰宅信号を受け付けた場合、帰宅信号を監視センタへ送信する。従って、第２の利用者が帰宅信号の入力操作を忘れてしまった場合でも、報知によって忘れていることを知らしめることができるため、その後に入力操作を行うことにより、帰宅遅延情報や位置情報の無用な通報を回避することができるという効果を奏する。
【００４５】
また、請求項１９にかかる発明によれば、検知ステップによって、利用者識別情報の入力を受け付け、認証ステップによって、受け付けた利用者識別情報が、利用者情報に登録されているか否かを照合することにより利用者認証を行い、行動選択受付ステップによって、認証された第２の利用者の外出信号の行動選択を受け付け、外出処理ステップによって、外出信号を受け付けた場合に、認証された第２の利用者の外出情報を通報先に送信する。従って、監視領域における第２の利用者の外出情報を第１の利用者に送信するため、第１の利用者が監視領域における第２の利用者の状況を一旦帰宅したか否かにかかわらず正確に把握することができるという効果を奏する。
【００４６】
また、請求項２０にかかる発明によれば、検知ステップによって、利用者識別情報の入力を受け付け、認証ステップによって、受け付けた利用者識別情報が、利用者情報に登録されているか否かを照合することにより利用者認証を行い、行動選択受付ステップによって、認証された第２の利用者の外出信号の行動選択を受け付け、送信ステップによって、認証された利用者識別情報および受け付けた外出信号を記監視センタに送信し、受信ステップによって、警備装置から利用者識別情報および外出信号を受信し、外出処理ステップによって、利用者識別情報および外出信号を受信した場合に、外出情報を第１の利用者の通報先に送信する。従って、監視領域における第２の利用者の外出情報を監視センタから第１の利用者に送信するため、利用者の情報を一括して管理できるとともに、第１の利用者が監視領域における第２の利用者の状況を一旦帰宅したか否かにかかわらず正確に把握することができるという効果を奏する。
【発明を実施するための最良の形態】
【００４７】
以下に添付図面を参照して、この発明にかかる警備装置、警備システム及び警備方法の最良な実施の形態を詳細に説明する。
【００４８】
（第１の実施の形態）
まず、第１の実施の形態について、添付図面を参照して説明する。第１の実施の形態の監視システムは、利用者が監視領域に帰宅した場合または監視領域から外出した場合に、他の利用者の通報先端末にその旨を通報するものである。
【００４９】
図１は、第１の実施の形態にかかる警備システムの構成を示すブロック図である。本実施の形態にかかる警備システム１００は、警備装置１１０と、通報先端末１３０とから構成されており、警備装置１１０と通報先端末１３０はネットワーク１２０を介して接続されている。
【００５０】
警備装置１１０は、監視領域の異常を検知して、異常検知情報を監視センタや通報先端末１３０に送信するものである。また、子供が監視領域に帰宅した場合または監視領域から外出した場合に、通報先である親の通報先端末にその旨を送信するものである。更に、子供が帰宅する予定の時刻を経過しても帰宅しなかった場合、親の通報先端末にその旨及び子供の位置を示す情報を送信するものである。ここで、子供は、本発明における第２の利用者に、親は、本発明における第１の利用者に相当する。
【００５１】
また、本実施の形態にかかる警備装置１１０では、利用者が居住する住戸が監視対象となる監視領域に含まれている。例えば、一戸建て住居の場合には、その住居そのものが監視対象に含まれる。また、マンション等の集合住宅の場合には、マンション内の各住戸が監視領域に含まれている。
【００５２】
ネットワーク１２０は、電話回線、無線ネットワーク、インターネットなどであって、警備装置１１０と通報先端末１３０を接続している。
【００５３】
通報先端末１３０は、図示しない送受信部、制御部、表示部、操作部、音声通話部などから構成されており、公知の携帯電話と同様の構成である。送受信部は、ネットワーク１２０から無線でデータの送受信を行い、制御部は通報先端末１３０の各種の制御を行う。表示部は、送信されたデータまたは入力されたデータの表示を行い、操作部は、データの入力を行う。音声通話部は、警備装置１１０から送信される情報を音声データとして受信し出力するとともに、警備装置１１０付近にいる利用者（子供または親）との音声通話を行う。なお、通報先端末１３０として、公知のＰＤＡ（Personal Digital Assistants）またはＰＣ（Personal Computer）を用いてもよい。
【００５４】
次に警備装置の詳細について説明する。警備装置１１０は、さらにコントローラ１０１、入出力制御部１１５と、制御部１５０と、通信制御部１１６と、利用者データベース１１７と、現状記憶部１１８とを主に備えている。
【００５５】
コントローラ１０１は、利用者からの利用者ＩＤ等の読み込み、操作入力を受け付けるものであり、更に、ＲＦＩＤ検知部１０３と、操作表示部１０２とを備えている。ここで、利用者ＩＤは、本発明における利用者識別情報に相当する。
【００５６】
ＲＦＩＤ検知部１０３は、個々の利用者が所持している利用者ＩＤ等を固有に保持するＲＦＩＤタグ（図示せず）を通信距離内で認識し、非接触でＲＦＩＤタグに記憶されている利用者ＩＤやその他全ての情報を読み取るものである。具体的には、ＲＦＩＤ検知部１０３は、ＲＦＩＤタグに記憶されている利用者ＩＤの他、ＲＦＩＤタグに複数の帰宅予定時刻が記憶されている場合には、この複数の帰宅予定時刻も読み取る。ここで、ＲＦＩＤ（Radio Frequency Identification）とは、電波/電磁波を利用して、非接触でＩＤ等の読み出し/書き込みを行なうものであり、内部に電子的な情報を持つタグが、読み取り装置（ＲＦＩＤ検知部）と電波で送受信を行うことで、タグに記録されている情報を識別する技術である。
【００５７】
操作表示部１０２は、例えばタッチ入力式の液晶画面であり、利用者に対して設定画面を表示して、利用者の操作入力を受け付けるものである。即ち、操作表示部１０２には、監視領域に帰宅する旨の帰宅ボタンおよび監視領域から外出する旨の外出ボタン等の利用者による行動を選択するボタンと、後述する帰宅処理部１５７による帰宅情報および外出処理部１５８による外出情報を、親の通報先端末１３０に送信しない旨の設定の有無を行う帰宅／外出通報禁止設定ボタンが設けられている。
【００５８】
ここで、コントローラ１０１は、住戸の玄関等の出入り口に設置されている。例えば、一戸建て住居の場合には、コントローラ１０１は玄関等の出入り口に設置されている。また、マンション等の集合住宅の場合には、コントローラ１０１は集合住宅のエントランス等の共用エリアではなく、マンション内の各住戸の玄関等の出入り口に設置されている。このため、各住戸の出入り口に設置されたコントローラ１０１で帰宅ボタンを押下しない限り外出した状態であるため、マンションのエントランスで子供が帰宅した旨を親が把握した後に、親が安心してしまいエントランスから各住戸へいく途中に誘拐される等を防止することができる。また、子供がマンションのエントランスで帰宅した旨を親が把握した後に、実際には住戸に戻らずに遊びに行ってしまった場合でも、各住戸の出入り口に設置されたコントローラ１０１で帰宅ボタンを押下しない限り外出した状態であるため、エントランスにおける帰宅操作などで子供が帰宅したと信じて親が安心してしまうという誤解を回避することができる。
【００５９】
入出力制御部１１５は、コントローラ１０１の入出力制御、監視領域の異常を検知するセンサ（図示せず）、監視領域の音声を取得するマイク（図示せず）の入力制御、送信された音声を出力するスピーカ（図示せず）の出力制御により種々のデータの入出力を制御する処理部である。また、入出力制御部１１５は、操作表示部１０２から帰宅する旨を受け付けた場合は、利用者により帰宅ボタンを押下されたことによる帰宅信号および帰宅／外出通報禁止設定の可否を後述する帰宅処理部１５７に送出する。また、入出力制御部１１５は、操作表示部１０２から外出する旨を受け付けた場合は、利用者により外出ボタンを押下されたことによる外出信号および帰宅／外出通報禁止設定の可否を後述する外出処理部１５８に送出する。
【００６０】
通信制御部１１６は、警備装置１１０とネットワーク１２０との間における通信を制御するものであり、具体的にはネットワークボードなどが該当する。
【００６１】
利用者データベース１１７は、予め設定された利用者ＩＤ及び各利用者ＩＤに対応する利用者の名前、親または子供のいずれかを区別するための区別情報としての親／子情報、利用者が監視領域に在宅しているか否かを示す在宅状況、メールアドレスなどの親の通報先、子供の監視領域への帰宅する予定の時刻を示す帰宅予定時刻を登録したデータベースである。図２は、利用者データベース１１７のデータ構成の一例を示すデータ構造図である。図２に示すように、利用者ＩＤ及び各利用者ＩＤに対応する利用者の名前、親／子情報、在宅状況、通報先、帰宅予定時刻が複数登録されている。
【００６２】
現状記憶部１１８は、監視領域から現在外出中の子供の人数を示す外出状況を記憶したメモリなどの記憶媒体である。図３は、現状記憶部１１８の構成の一例を示す模式図である。図３に示すように、子供の全人数（例えば３人）、監視領域から外出している子供の人数（例えば２人）、帰宅／外出通報禁止設定の可否をＯＮまたはＯＦＦとして記憶している。
【００６３】
なお、本実施の形態では、後述するように上述の利用者データベース１１７の親／子情報と在宅状況の内容を読み取って、読み取った親／子情報と在宅状況とをもとに、子供の全人数、監視領域から外出している子供の人数を求め、現状記憶部１１８に記憶している。そして、かかる現状記憶部１１８の子供の全人数、監視領域から外出している子供の人数は、最初に帰宅した子供であるか否かおよび最後に外出した子供であるか否かの判断の際に使用される。
【００６４】
また、本実施の形態では、帰宅／外出通報禁止設定の可否を単一に設けているが、これに限定されることなく、通報先毎に設定できるよう構成してもよい。例えば、通報先（親の通報先端末等）が２箇所ある場合、その２箇所にそれぞれ帰宅／外出通報禁止設定を設定してもよい。
【００６５】
制御部１５０は、警備装置１１０の全体制御を行うものであり、さらに警備モード切替部１５１と、警備モード記憶部１５２と、認証部１５３と、位置情報取得部１５４と、異常通報部１５５と、報知部１５６と、帰宅処理部１５７と、外出処理部１５８とを主に備えている。
【００６６】
警備モード切替部１５１は、後述する警備モード記憶部１５２に、利用者から受け付けた警備モードを記憶させることにより、現在の警備モードの切替設定を行うものである。また、警備モード切替部１５１は、監視領域に帰宅した子供が最初の帰宅者であった場合、その子供の検知信号を異常信号としないよう、監視領域の現在の警備モードを警備解除状態に切替設定する。また、監視領域から外出した子供が最後に外出した者であった場合、外出した後の監視領域の警備を行うよう、監視領域の現在の警備モードを警備状態に切替設定する。
【００６７】
ここで、警備モードとは、監視領域において異常検知した際の通報先への通報の可否、または監視領域に対する報知の可否などを定めたモードであり、異常を検知したときの警備装置１１０の動作を決定するモードである。警備モードは、通報の可否および通報先、監視領域への報知の有無などによって複数のモードが存在し、代表的な警備モードとしては、警備状態、警備解除状態がある。
【００６８】
まず、警備状態とは、主に住人（利用者）が外出中、警備を必要とする場合に設定する警備モードであり、センサによって異常を検知したときに発せられる検知信号を警備装置が受信した場合に、監視センタに異常を知らせる警報を通報する状態である。なお、警備装置の設置されている監視領域において異常を検知したことを報知する場合もある。これは、侵入者を威嚇する目的や誤報である場合に警報解除操作を促す目的で報知するものである。
【００６９】
警備解除状態とは、主に住人（利用者）が在宅中、警備を必要としない場合に設定する警備モードであり、センサによって異常を検知したときに発せられる検知信号を警備装置が受信した場合でも、監視センタへの警報の通報、監視領域における異常の検知、通報先端末への異常の通報のいずれも行わない状態である。これは、センサにより異常が検知（人の存在の検知、扉の開閉の検知）されても、在宅中の住人を検知したものと判断するためである。
【００７０】
警備モード記憶部１５２は、監視領域における現在の上述した警備モードを記憶するメモリなどの記憶媒体である。
【００７１】
認証部１５３は、ＲＦＩＤ検知部１０３により、利用者が入力した利用者ＩＤが利用者データベース１１７に登録されている利用者ＩＤであるかを照合する利用者認証を行うものである。
【００７２】
位置情報取得部１５４は、利用者データベース１１７に登録された子供の帰宅予定時刻が経過した場合、その子供の所持する携帯端末にアクセスして、現在の子供の位置を示すＵＲＬ（Uniform Resource Locator）を位置情報として取得するものである。具体的には、例えば、子供に移動体の位置を測定するＧＰＳ（Global Positioning System）機能を搭載した携帯端末を所持させ、衛星からの電波を受信することにより、位置、移動方向、速度を計算し、子供の位置を取得する。
【００７３】
異常通報部１５５は、警備モードが警備状態に設定されている場合に、センサが異常を検知すると、監視センタに対して異常が検知されたという異常検知情報を通報するものである。
【００７４】
帰宅処理部１５７は、ＲＦＩＤ検知部１０３によって受け付けた利用者ＩＤが、認証部１５３による利用者認証が成功した場合、受け付けた利用者ＩＤと、操作表示部１０２により受け付けた帰宅信号を帰宅情報として、親の通報先端末１３０に送信するものである。また、この際、利用者データベース１１７の在宅状況により、親が利用者ＩＤに対応して在宅として登録されている場合、現状記憶部１１８に帰宅情報を送信しない設定である帰宅／外出通報禁止設定がＯＮになっている場合は、送信不要であるため、帰宅情報は送信しない。
【００７５】
また、帰宅処理部１５７は、ＲＦＩＤ検知部１０３によって受け付けた利用者ＩＤが、認証部１５３による利用者認証が成功した場合、利用者データベース１１７の受け付けた利用者ＩＤに対応する在宅状況に、帰宅した旨、即ち、「在宅」の登録し、現状記憶部１１８に記憶されている外出中の子供の人数を更新する。
【００７６】
更に、帰宅処理部１５７は、現状記憶部１１８から子供が外出中か否かを判断し、外出中の子供がいた場合で、現在時刻が利用者データベース１１７に登録されているその外出中の子供の帰宅予定時刻を経過している場合は、その旨の帰宅遅延情報、および位置情報取得部１５４によって取得された子供の現在の位置情報を、親の通報先端末１３０に送信する。
【００７７】
報知部１５６は、外出中の子供の帰宅予定時刻が経過している場合、子供が監視領域に帰宅した際に、操作表示部１０２に表示された帰宅ボタンを押下し忘れた可能性があるため、帰宅ボタンを押下することによる帰宅信号の入力を促す報知するものである。
【００７８】
外出処理部１５８は、ＲＦＩＤ検知部１０３によって受け付けた利用者ＩＤが、認証部１５３による利用者認証が成功した場合、受け付けた利用者ＩＤと、操作表示部１０２により受け付けた外出信号を外出情報として、親の通報先端末１３０に送信するものである。また、この際、利用者データベース１１７の在宅状況により、親が利用者ＩＤに対応して在宅として登録されている場合、現状記憶部１１８に外出情報を送信しない設定である帰宅／外出通報禁止設定がＯＮになっている場合は、送信不要であるため、外出情報は送信しない。
【００７９】
また、外出処理部１５８は、ＲＦＩＤ検知部１０３によって受け付けた利用者ＩＤが、認証部１５３による利用者認証が成功した場合、利用者データベース１１７の受け付けた利用者ＩＤに対応する在宅状況に、外出した旨、即ち、「外出」の登録をし、現状記憶部１１８に記憶されている外出中の子供の人数を更新する。
【００８０】
更に、外出処理部１５８は、子供が一旦帰宅した後に再度外出する場合には、帰宅予定時刻が変更するため、子供が外出する際には、ＲＦＩＤ検知部１０３によって利用者ＩＤと共に受け付けた複数の帰宅予定時刻の中で、現在の時刻以降の一番近い帰宅予定時刻を、利用者データベース１１７の帰宅予定時刻として更新する。
【００８１】
次に、以上のように構成された警備装置１１０における帰宅／外出通報処理について説明する。図４−１、図４−２、図４−３は、本実施の形態にかかる警備装置１１０の帰宅／外出通報処理の手順を示すフローチャートである。
【００８２】
まず、利用者によってＲＦＩＤ検知部１０３にＲＦＩＤタグを通信距離内に掲げて、利用者ＩＤ等を入力すると、ＲＦＩＤ検知部１０３は、ＲＦＩＤタグから利用者ＩＤ、さらに複数の帰宅予定時刻（記録されている場合）を受け付ける（ステップＳ４０１）。そして、認証部１５３は、ＲＦＩＤ検知部１０３により受け付けた利用者ＩＤが利用者データベース１１７に登録されているか否かを判断する（ステップＳ４０２）。受け付けた利用者ＩＤが利用者データベース１１７に登録されていなかった場合（ステップＳ４０２：Ｎｏ）、再度、利用者ＩＤを受け付けるまで待機する。
【００８３】
一方、受け付けた利用者ＩＤが利用者データベース１１７に登録されている場合（ステップＳ４０２：Ｙｅｓ）、操作表示部１０２は、利用者による監視領域に帰宅する旨、監視領域から外出する旨、及び帰宅／外出通報禁止設定を選択するための操作画面を表示する（ステップＳ４０３）。
【００８４】
ここで、図５は、操作表示部１０２に表示された操作画面の一例を示す模式図である。図５に示すように、操作画面には、利用者が監視領域に帰宅する旨の帰宅ボタン、利用者が監視領域から外出する旨の外出ボタン、帰宅／外出通報禁止設定の有無を行う帰宅／外出通報禁止設定ボタンが表示される。そして、利用者によるいずれかのボタンを押下することによる操作入力が行われると、入出力制御部１１５は、受け付けた操作入力が帰宅信号、外出信号、帰宅／外出通報禁止設定のいずれであるかの判断をする（ステップＳ４０４）。
【００８５】
利用者により帰宅／外出通報禁止設定ボタンを押下された場合（ステップＳ４０４：帰宅／外出通報禁止設定）入出力制御部１１５は、帰宅／外出通報禁止設定をＯＮからＯＦＦ、またはＯＦＦからＯＮに切替えて（ステップＳ４０５）、再度、利用者ＩＤを受け付けるまで待機する。
【００８６】
また、利用者により帰宅ボタンが押下された場合（ステップＳ４０４：帰宅）、帰宅処理部１５７は、利用者データベース１１７の受け付けた利用者ＩＤに対応する在宅状況に、帰宅した旨、即ち、「在宅」の登録をする（ステップＳ４０６）。次に、帰宅処理部１５７は、受け付けた利用者ＩＤが子供のものであるか、親のものであるかの判断をする（ステップＳ４０７）。そして、帰宅処理部１５７は、受け付けた利用者ＩＤが親のものであった場合（ステップＳ４０７：親）、そのまま処理を抜ける。
【００８７】
一方、帰宅処理部１５７によって受け付けた利用者ＩＤが子供のものであった場合（ステップＳ４０７：子）、帰宅処理部１５７は、利用者データベース１１７に登録されている親の利用者ＩＤが在宅または外出のいずれであるかの判断をする（ステップＳ４０８）。
【００８８】
次に、利用者データベース１１７に登録されている親の利用者ＩＤが在宅であった場合（ステップＳ４０８：Ｙｅｓ）、帰宅処理部１５７は、外出中の子供が帰宅したことにより、外出中の子供が減少したため、現状記憶部１１８に記憶されている外出中の子供の人数を「１」減少させて記憶する（ステップＳ４０９）。そして、親が一人でも在宅していれば、親が子供の帰宅を把握できるため、処理を抜ける。
【００８９】
一方、利用者データベース１１７に登録されている親の利用者ＩＤが全て外出であった場合（ステップＳ４０８：Ｎｏ）、警備モード切替部１５１は、現状記憶部１１８に記憶されている現在の外出中の子供の人数を取得する（ステップＳ４１０）。そして、警備モード切替部１５１は、取得した外出中の子供の人数が子供の全人数であるか否かを調べることによって、最初に帰宅したか否かを判断する（ステップＳ４１１）。
【００９０】
そして、取得した外出中の子供の人数が子供の全人数である場合（ステップＳ４１１：Ｙｅｓ）は、受け付けた利用者ＩＤが最初に帰宅した子供のものであると判断することになり、警備モード切替部４０９は、最初に帰宅した子供の検知信号を異常信号としないよう、警備モード記憶部１５２に記憶されている警備モードを、警備解除状態に記憶させることによって、警備解除状態に切替設定をする（ステップＳ４１２）。
【００９１】
一方、取得した外出中の子供の人数が子供の全人数でない場合（ステップＳ４１１：Ｎｏ）は、全人数より少ないため、既に帰宅している子供がいると判断することになり、警備解除状態に設定されていると考えられるため、警備モードの切替設定は行わない。そして、帰宅処理部１５７は、外出中の子供が帰宅したことにより、外出中の子供が減少したため、現状記憶部１１８に記憶されている外出中の子供の人数を「１」減少させて記憶する（ステップＳ４１３）。
【００９２】
次に、帰宅処理部１５７は、現状記憶部１１８に記憶されている帰宅／外出通報禁止設定がＯＮになっているか否かの判断をする（ステップＳ４１４）。そして、現状記憶部１１８に記憶されている帰宅／外出通報禁止設定がＯＮになっている場合（ステップＳ４１４：Ｙｅｓ）、帰宅情報の送信は不要であるため、処理を抜ける。
【００９３】
一方、現状記憶部１１８に記憶されている帰宅／外出通報禁止設定がＯＮになっていない場合（ステップＳ４１４：Ｎｏ）、帰宅処理部１５７は、子供の帰宅情報を親の通報先端末に送信する（ステップＳ４１５）。
【００９４】
ここで、図６は、子供の帰宅情報を受信した場合における親の通報先端末の表示部の一例を示す模式図である。図６に示すように、子供の帰宅の連絡である旨が表示され、親の利用者ＩＤ、監視領域（住戸）の号室番号、親の名前が表示され、さらに、子供の名前と帰宅した旨が表示される。
【００９５】
また、ステップＳ４０４に戻って、利用者により外出ボタンが押下された場合（ステップＳ４０４：外出）、外出処理部１５８は、利用者データベース１１７の受け付けた利用者ＩＤに対応する在宅状況に、外出した旨、即ち、「外出」の登録をする（ステップＳ４１６）。次に、外出処理部１５８は、受け付けた利用者ＩＤが子供のものであるか、親のものであるかの判断をする（ステップＳ４１７）。そして、外出処理部１５８は、受け付けた利用者ＩＤが親のものであった場合（ステップＳ４１７：親）、そのまま処理を抜ける。
【００９６】
一方、外出処理部１５８によって受け付けた利用者ＩＤが子供のものであった場合（ステップＳ４１７：子）、外出処理部１５８は、ＲＦＩＤ検知部１０３によって受け付けた帰宅予定時刻の中で、現在の時刻以降の一番近い帰宅予定時刻を、利用者データベース１１７の帰宅予定時刻に記憶させることによって更新する（ステップＳ４１８）。
【００９７】
次に、外出処理部１５８は、利用者データベース１１７に登録されている親の利用者ＩＤが在宅または外出のいずれであるかの判断をする（ステップＳ４１９）。そして、利用者データベース１１７に登録されている親の利用者ＩＤが在宅であった場合（ステップＳ４１９：Ｙｅｓ）、外出処理部１５８は、子供が外出したことにより、外出中の子供が増加したため、現状記憶部１１８に記憶されている外出中の子供の人数を「１」増加させて記憶する（ステップＳ４２０）。そして、親が一人でも在宅していれば、親が子供の外出を把握できるため、処理を抜ける。
【００９８】
一方、利用者データベース１１７に登録されている親の利用者ＩＤが全て外出であった場合（ステップＳ４１９：Ｎｏ）、警備モード切替部１５１は、現状記憶部１１８に記憶されている現在の外出中の子供の人数を取得する（ステップＳ４２１）。そして、警備モード切替部１５１は、取得した外出中の子供の人数が（子供の全人数−１）人であるか否かを調べることによって、その子供が最後の外出者か否かを判断する（ステッＳ４２２）。
【００９９】
そして、取得した外出中の子供の人数が（子供の全人数−１）人である場合（ステップＳ４２２：Ｙｅｓ）は、受け付けた利用者ＩＤが最後に外出した子供のものであると判断することになり、警備モード切替部４０９は、子供が最後に外出した後の監視領域の警備を行うよう、警備モード記憶部１５２に記憶されている警備モードを、警備状態に記憶させることによって、警備状態に切替設定をする（ステップＳ４２３）。
【０１００】
一方、取得した外出中の子供の人数が（子供の全人数−１人）でない場合（ステップＳ４２２：Ｎｏ）は、在宅している子供が１人以上いると判断することになり、警備状態に設定する必要がないため、警備モードの切替設定は行わない。そして、外出処理部１５８は、子供が外出したことにより、外出中の子供が増加したため、現状記憶部１１８に記憶されている外出中の子供の人数を「１」増加させて記憶する（ステップＳ４２４）。
【０１０１】
次に、外出処理部１５８は、現状記憶部１１８に記憶されている帰宅／外出通報禁止設定がＯＮになっているか否かの判断をする（ステップＳ４２５）。そして、現状記憶部１１８に記憶されている帰宅／外出通報禁止設定がＯＮになっている場合（ステップＳ４２５：Ｙｅｓ）、外出情報の送信は不要であるため、処理を抜ける。
【０１０２】
一方、現状記憶部１１８に記憶されている帰宅／外出通報禁止設定がＯＮになっていない場合（ステップＳ４２５：Ｎｏ）、外出処理部１５８は、子供の外出情報を親の通報先端末に送信する（ステップＳ４２６）。
【０１０３】
ここで、図７は、子供の外出情報を受信した場合における親の通報先端末の表示部の一例を示す模式図である。図７に示すように、子供の外出の連絡である旨が表示され、親の利用者ＩＤ、監視領域（住戸）の号室番号、親の名前が表示され、さらに、子供の名前と外出した旨が表示される。
【０１０４】
次に、本実施の形態にかかる警備装置１１０における帰宅遅延通報処理について説明する。図８は、本実施の形態にかかる警備装置１１０の帰宅遅延通報処理の手順を示すフローチャートである。
【０１０５】
まず、帰宅処理部１５７は、現状記憶部１１８に外出中の子供が記憶されているか否かの判断をする（ステップＳ８０１）。そして、現状記憶部１１８に外出中の子供が記憶されていない場合（ステップＳ８０１：Ｎｏ）、再度、ステップＳ８０１の処理を行う。
【０１０６】
一方、現状記憶部１１８に外出中の子供が記憶されている場合（ステップＳ８０１：Ｙｅｓ）、帰宅処理部１５７は、利用者データベース１１７に登録されている外出中の子供の帰宅予定時刻を取得し（ステップＳ８０２）、現在の時刻を取得する（ステップＳ８０３）。そして、帰宅処理部１５７は、外出中の子供の帰宅予定時刻が経過しているか否かの判断をする（ステップＳ８０４）。外出中の子供の帰宅予定時刻が経過していない場合（ステップＳ８０４：Ｎｏ）、再度、ステップＳ８０２の処理を行う。
【０１０７】
一方、外出中の子供の帰宅予定時刻が経過している場合（ステップＳ８０４：Ｙｅｓ）、報知部１５６は、その帰宅予定時刻が経過している外出中の子供が帰宅した際に、操作表示部１０２に表示された帰宅ボタンを押下し忘れた可能性があるため、帰宅ボタンを押下することによる帰宅信号の入力を促す報知をする（ステップＳ８０５）。
【０１０８】
そして、報知部１５６による報知がなされた後、帰宅処理部１５７は、外出中の子供による帰宅信号を、予め定められた一定時間内に操作表示部１０２より受け付けたか否かの判断をする（ステップＳ８０６）。
【０１０９】
外出中の子供による帰宅信号を操作表示部１０２より受け付けなかった場合（ステップＳ８０６：Ｎｏ）、位置情報取得部１５４は、外出中の子供の所持する携帯端末にアクセスして、現在の子供の位置を示すＵＲＬを位置情報として取得する（ステップＳ８０７）。そして、帰宅処理部１５７は、親の通報先端末に、外出中の子供の帰宅予定時刻が経過している旨の帰宅遅延情報、および位置情報取得部１５４によって取得された外出中の子供の位置情報を送信する（ステップＳ８０８）。
【０１１０】
ここで、図９は、子供の帰宅遅延情報および位置情報を受信した場合における親の通報先端末の表示部の一例を示す模式図である。図９に示すように、子供の帰宅遅延の連絡である旨が表示され、親の利用者ＩＤ、監視領域（住戸）の号室番号、親の名前が表示され、さらに、帰宅予定時刻と、子供の名前および帰宅が遅延している旨が表示される。さらに、現在位置を取得するためのＵＲＬが表示され、そのＵＲＬにアクセスすることによって、子供の位置が取得できる。
【０１１１】
一方、ステップＳ８０６において、先の外出中の子供による帰宅信号を操作表示部１０２より受け付けた場合（ステップＳ８０６：Ｙｅｓ）、その子供が帰宅しているため、ステップＳ８０９の処理へ移動する。
【０１１２】
そして、帰宅処理部１５７は、現状記憶部１１８に他の外出中の子供が記憶されているか否かの判断をする（ステップＳ８０９）。そして、現状記憶部１１８に他の外出中の子供が記憶されている場合（ステップＳ８０９：Ｙｅｓ）、再度、ステップＳ８０２の処理を行う。一方、現状記憶部１１８に外出中の子供が記憶されていない場合（ステップＳ８０９：Ｎｏ）、処理を終了する。
【０１１３】
このように、第１の実施の形態では、ＲＦＩＤ検知部１０３によって、住戸の出入り口において、利用者ＩＤの入力を受け付け、認証部１５３によって、受け付けた利用者ＩＤの認証を行い、操作表示部１０２によって、住戸の出入り口において、認証された子供の帰宅信号または外出信号のいずれかの行動選択を受け付け、帰宅処理部１５７によって、帰宅信号を受け付けた場合に、子供の帰宅情報を親の通報先に送信し、外出処理部１５８によって、外出信号を受け付けた場合に、子供の外出情報を親の通報先に送信する。従って、監視領域における子供の帰宅情報および外出情報を親に送信するため、親が監視領域における子供の状況を正確に把握することができる。
【０１１４】
また、最初に子供が帰宅すると、警備状態に設定されている場合でも、警備解除状態に切替設定がなされ、帰宅した子供が監視領域に入室することによる異常を検知しても通報が行われないため、警備装置１１０が誤作動することがなく、無用な通報がなされることがない。また、最後に外出する子供が監視領域から退室し、警備解除状態に設定されている場合でも、警備状態に切替設定がなされ、その後の監視領域の警備が行われるため、利用者は、安心して監視領域から外出することができる。更に、通報を受ける親が在宅している場合や、帰宅／外出通報禁止設定がなされている場合は、子供の帰宅情報および外出情報を送信しないため、無用な通報を回避することができる。
【０１１５】
また、子供が帰宅予定時刻に帰宅していない場合、帰宅情報を送信しないだけでなく、帰宅遅延情報および位置情報を送信することにより、親は、子供が監視領域に帰宅していない旨、および子供の現在の位置をより正確に把握することができ、安心を得ることができる。更に、子供が帰宅信号の操作入力を忘れてしまった場合でも、報知によって忘れていることを知らしめることができるため、その後に操作入力を行うことにより、帰宅遅延情報や位置情報の無用な通報を回避できる。
【０１１６】
なお、第１の実施の形態では、現状記憶部１１８を設けて子供の人数や、現在外出中の子供の人数を記憶させ、この現状記憶部１１８の内容によって、最初に帰宅した子供であるか否かおよび最後に外出した子供であるか否か等の判断を行う構成としているが、これに限定されるものではなく、利用者データベース１１７の内容をもとに判断する構成であればよい。例えば、現状記憶部１１８を設けずに、最初に帰宅した子供であるか否かおよび最後に外出した子供であるか否かを判断する際に、その都度利用者データベース１１７の親／子情報と在宅状況とを参照して、読み取った情報から子供の人数、現在外出中の子供の人数を求めて、最初に帰宅した子供であるか否かおよび最後に外出した子供であるか否か等を判断するように構成してもよい。
【０１１７】
（第２の実施の形態）
第１の実施の形態の警備装置は、子供の帰宅情報、外出情報、および帰宅遅延情報等を警備装置から親の通報先端末に送信するものであるが、第２の実施の形態の警備装置は、これらの処理を監視センタ側で行うものである。以下に添付図面を参照して、この発明にかかる警備システム及び警備方法の最良な実施の形態を詳細に説明する。
【０１１８】
まず、第２の実施の形態について、添付図面を参照して説明する。図１０は、第２の実施の形態にかかる警備システムの構成を示すブロック図である。本実施の形態にかかる警備システム２００は、警備装置２１０と、通報先端末１３０と、監視センタ３００とから構成されており、警備装置３１０と通報先端末１３０、監視センタ３００はネットワーク１２０を介して接続されている。
【０１１９】
警備装置２１０は、監視領域の異常を検知して、異常検知情報を監視センタや通報先端末１３０に送信するものである。また、子供が監視領域に帰宅した場合または監視領域から外出した場合に、監視センタにその旨を送信するものである。ここで、子供は、本発明における第２の利用者に相当する。
【０１２０】
また、本実施の形態にかかる警備装置２１０でも、第１の実施の形態と同様に、利用者が居住する住戸が監視対象となる監視領域に含まれている。例えば、一戸建て住居の場合には、その住居そのものが監視対象に含まれる。また、マンション等の集合住宅の場合には、マンション内の各住戸が監視領域に含まれている。
【０１２１】
ネットワーク１２０は、電話回線、無線ネットワーク、インターネットなどであって、警備装置２１０と通報先端末１３０、監視センタ３００を接続している。
【０１２２】
監視センタ３００は、監視領域の異常を検知した警備装置２１０からの通報を受け、待機中の警備員に対して異常が検知された監視領域へ向かう旨の指示を出すとともに、必要に応じて警察や消防など関係機関への通報を行うセンタである。また、子供が監視領域に帰宅した場合または監視領域から外出した旨を警備装置２１０から受信し、通報先である親の通報先端末にその旨を送信するものである。更に、子供が帰宅する予定の時刻を経過しても帰宅しなかった場合、親の通報先端末にその旨及び子供の位置を示す情報を送信するものである。ここで、親は、本発明における第１の利用者に相当する。
【０１２３】
ここで、通報先端末１３０の構成及び機能は、第１の実施の形態と同様であるので、説明を省略する。
【０１２４】
次に警備装置の詳細について説明する。警備装置２１０は、さらにコントローラ１０１、入出力制御部２１５と、制御部２５０と、通信制御部１１６と、利用者データベース２１７とを主に備えている。
【０１２５】
ここで、コントローラ１０１と、ＲＦＩＤ検知部１０３と、操作表示部１０２と、通信制御部１１６の構成及び機能は、第１の実施の形態と同様であるので、説明を省略する。ここで、本実施の形態のコントローラ１０１についても、第１の実施の形態と同様に、住戸の玄関等の出入り口に設置されている。
【０１２６】
入出力制御部２１５は、コントローラ１０１の入出力制御、監視領域の異常を検知するセンサ（図示せず）、監視領域の音声を取得するマイク（図示せず）の入力制御、送信された音声を出力するスピーカ（図示せず）の出力制御により種々のデータの入出力を制御する処理部である。また、入出力制御部２１５は、操作表示部１０２から帰宅する旨を受け付けた場合は、利用者により帰宅ボタンを押下されたことによる帰宅信号および帰宅／外出通報禁止設定の可否を後述する送受信部２５９に送出する。また、入出力制御部２１５は、操作表示部１０２から外出する旨を受け付けた場合は、利用者により外出ボタンを押下されたことによる外出信号および帰宅／外出通報禁止設定の可否を後述する送受信部２５９に送出する。
【０１２７】
利用者データベース２１７は、予め設定された利用者ＩＤを登録したデータベースである。図１１は、利用者データベース２１７のデータ構成の一例を示すデータ構造図である。図１１に示すように、利用者ＩＤが複数登録されている。
【０１２８】
制御部２５０は、警備装置２１０の全体制御を行うものであり、さらに警備モード切替部１５１と、警備モード記憶部１５２と、認証部１５３と、異常通報部１５５と、報知部１５６と、送受信部２５９とを主に備えている。
【０１２９】
ここで、さらに警備モード切替部１５１と、警備モード記憶部１５２と、認証部１５３と、異常通報部１５５と、報知部１５６の構成及び機能は、第１の実施の形態と同様であるので、説明を省略する。
【０１３０】
送受信部２５９は、ＲＦＩＤ検知部１０３によって受け付けた利用者ＩＤが利用者データベース２１７に登録されている旨、帰宅信号、外出信号、および帰宅／外出通報禁止設定の可否、および子供の場合は利用者ＩＤと同時にＲＦＩＤ検知部１０３にから受け付けた帰宅予定時刻等を、監視センタ３００に送信する。また、送受信部２５９は、受け付けた利用者ＩＤが監視領域に最初に帰宅した子供である旨、または受け付けた利用者ＩＤの監視領域から最後に帰宅した子供である旨を監視センタ３００から受信する。
【０１３１】
また、送受信部１５９は、外出中の子供の帰宅予定時刻が経過した旨を、監視センタ３００から受信し、その後に、その子供が帰宅ボタンを押下した場合は、帰宅信号を監視センタ３００に送信する。
【０１３２】
次に、監視センタの詳細について説明する。図１２は、第２の実施の形態にかかる監視センタ３００の構成を示すブロック図である。図１２に示すように、監視センタ３００は、通信制御部３１０と、制御部３２０と、通報先データベース３３０と、現状記憶部３４０とを主に備えている。
【０１３３】
通信制御部３１０は、監視センタ３００とネットワーク１２０との間における通信を制御するものであり、具体的にはネットワークボードなどが該当する。
【０１３４】
通報先データベース３３０は、予め設定された利用者ＩＤ及び各利用者ＩＤに対応する利用者の名前、親または子供のいずれかを示す親／子情報、利用者が監視領域に在宅しているか否かを示す在宅状況、メールアドレスなどの親の通報先、子供の監視領域への帰宅する予定の時刻を示す帰宅予定時刻を、警備装置ごとに登録したデータベースである。図１３は、通報先データベース３３０のデータ構成の一例を示すデータ構造図である。図１３に示すように、本実施の形態における警備装置２１０をＡＡＡとして、利用者ＩＤ及び各利用者ＩＤに対応する利用者の名前、親／子情報、在宅状況、通報先、帰宅予定時刻が複数登録されており、他の警備装置ＢＢＢ等のデータも同様に構成されている。
【０１３５】
現状記憶部３４０は、監視領域から現在外出中の子供の人数を示す外出状況を記憶したメモリなどの記憶媒体である。図１４は、現状記憶部３４０の構成の一例を示す模式図である。図１４に示すように、警備装置の識別情報（例えば、警備装置ＡＡＡ）、子供の全人数（例えば３人）、監視領域から外出している子供の人数（例えば２人）、帰宅／外出通報禁止設定の可否をＯＮまたはＯＦＦとして記憶している。
【０１３６】
なお、本実施の形態では、後述するように上述の通報先データベース３３０の親／子情報と在宅状況の内容を読み取って、読み取った親／子情報と在宅状況とをもとに、子供の全人数、監視領域から外出している子供の人数を求め、現状記憶部３４０に記憶している。そして、かかる現状記憶部３４０の子供の全人数、監視領域から外出している子供の人数は、最初に帰宅した子供であるか否かおよび最後に外出した子供であるか否かの判断の際に使用される。
【０１３７】
また、本実施の形態では、第１の実施の形態と同様に、帰宅／外出通報禁止設定の可否を単一に設けているが、これに限定されることなく、通報先毎に設定できるよう構成してもよい。例えば、通報先（親の通報先端末等）が２箇所ある場合、その２箇所にそれぞれ帰宅／外出通報禁止設定を設定してもよい。
【０１３８】
制御部３２０は、監視センタ３００の全体制御を行うものであり、さらに送受信部３２１と、位置情報取得部３２２と、帰宅処理部３２３と、外出処理部３２４とを主に備えている。
【０１３９】
送受信部３２１は、警備装置２１０が受け付けた利用者ＩＤが利用者データベース２１７に登録されている旨、帰宅信号、外出信号、および帰宅／外出通報禁止設定の可否、および子供の場合は利用者ＩＤと同時にＲＦＩＤ検知部１０３にから受け付けた帰宅予定時刻等を、警備装置２１０から受信するものである。また、送受信部３２１は、受信した利用者ＩＤが監視領域に最初に帰宅した子供である旨または、受信した利用者ＩＤが監視領域から最後に外出した子供である旨を、警備装置２１０に送信する。さらに、送受信部３２１は、外出中の子供の帰宅予定時刻が経過した旨を、警備装置２１０に送信し、警備装置２１０から、その子供の帰宅信号を受信する。
【０１４０】
位置情報取得部３２２は、通報先データベース３３０に登録された子供の帰宅予定時刻が経過した場合、その子供の所持する携帯端末にアクセスして、現在の子供の位置を示すＵＲＬを位置情報として取得するものである。具体的には、例えば、子供に移動体の位置を測定するＧＰＳ機能を搭載した携帯端末を所持させ、衛星からの電波を受信することにより、位置、移動方向、速度を計算し、子供の位置を取得する。
【０１４１】
帰宅処理部３２３は、警備装置２１０から受信した利用者ＩＤと帰宅信号を帰宅情報として、親の通報先端末１３０に送信するものである。また、この際、通報先データベース３３０の在宅状況により、親が利用者ＩＤに対応して在宅として登録されている場合、現状記憶部３４０に帰宅情報を送信しない設定である帰宅／外出通報禁止設定がＯＮになっている場合は、送信不要であるため、帰宅情報は送信しない。
【０１４２】
また、帰宅処理部３２３は、通報先データベース３３０の受信した利用者ＩＤに対応する在宅状況に、帰宅した旨、即ち、「在宅」の登録し、現状記憶部３４０に記憶されている外出中の子供の人数を更新する。
【０１４３】
更に、帰宅処理部３２３は、現状記憶部３４０から子供が外出中か否かを判断し、外出中の子供がいた場合で、現在時刻が通報先データベース３３０に登録されているその外出中の子供の帰宅予定時刻を経過している場合は、その旨の帰宅遅延情報、および位置情報取得部３２２によって取得された子供の現在の位置情報を、親の通報先端末１３０に送信する。
【０１４４】
外出処理部３２４は、警備装置２１０から受信した利用者ＩＤと外出信号を外出情報として、親の通報先端末１３０に送信するものである。また、この際、通報先データベース３３０の在宅状況により、親が利用者ＩＤに対応して在宅として登録されている場合、現状記憶部１１８に外出情報を送信しない設定である帰宅／外出通報禁止設定がＯＮになっている場合は、送信不要であるため、外出情報は送信しない。
【０１４５】
また、外出処理部３２４は、通報先データベース３３０の受信した利用者ＩＤに対応する在宅状況に、外出した旨、即ち、「外出」の登録をし、現状記憶部３４０に記憶されている外出中の子供の人数を更新する。さらに、外出処理部３２４は、子供が一旦帰宅した後に再度外出する場合には、帰宅予定時刻が変更するため、子供が外出する際には、ＲＦＩＤ検知部１０３によって利用者ＩＤと共に受け付けた複数の帰宅予定時刻を、警備装置２１０から受信して、その帰宅予定時刻の中で、現在の時刻以降の一番近い帰宅予定時刻を、通報先データベース３３０の帰宅予定時刻として更新する。
【０１４６】
次に、以上のように構成された警備システム２００における帰宅／外出通報処理の概要について説明する。図１５は、本実施の形態にかかる警備システム２００の帰宅／外出通報の全体処理の流れを示すシーケンス図である。
【０１４７】
まず、利用者による入力がなされると、警備装置２１０は、入力された利用者ＩＤを照合することによって（ステップＳ１５０１）、利用者認証を行い、その利用者認証の結果としての利用者ＩＤ等および利用者から受け付けた帰宅または外出を選択した操作情報（帰宅信号または外出信号）を、監視センタ３００に送信する（ステップＳ１５０２）。
【０１４８】
次に、警備装置２１０から利用者認証の結果および操作情報等を受信すると、監視センタ３００は、受信した利用者ＩＤが親であるか子供であるかの判断（親／子判断）をし（ステップＳ１５０３）、利用者の帰宅または外出の順位判断（帰宅／外出順位判断）をする（ステップＳ１５０４）。そして、監視センタ３００は、受信した利用者ＩＤが監視領域に最初に帰宅した子供のである旨、または監視領域から最後に外出した子供である旨を、警備装置２１０に送信する（ステップＳ１５０５）。
【０１４９】
次に、警備装置２１０は、監視領域に最初に帰宅した子供のである旨、または監視領域から最後に外出した子供である旨を受信すると、警備モードの切替設定を行う（ステップＳ１５０６）。また、監視センタ３００は、子供の帰宅情報または外出情報を、親の通報先端末に送信する（ステップＳ１５０７）。
【０１５０】
次に、上述した警備システム２００における帰宅／外出通報処理について詳細に説明する。図１６は、本実施の形態にかかる警備システム２００の警備装置２１０側における帰宅／外出通報処理の手順を示すフローチャートである。
【０１５１】
まず、ＲＦＩＤ検知部１０３による利用者ＩＤの受け付けから、入出力制御部２１５による帰宅／外出通報禁止設定の切替えまでの処理および流れ（ステップＳ１６０１〜１６０５）は、図４−１の第１の実施の形態で説明した処理および流れ（ステップＳ４０１〜Ｓ４０５）と同様である。
【０１５２】
次に、利用者により帰宅ボタンが押下された場合（ステップＳ１６０４：帰宅）、送受信部２５９は、受け付けた利用者ＩＤが利用者データベース２１７に登録されている旨、帰宅信号、および帰宅／外出通報禁止設定の可否を、監視センタ３００に送信する（ステップＳ１６０６）と、監視センタ３００において後述の帰宅通報処理が実行される。
【０１５３】
次に、送受信部２５９は、操作表示部１０２によって受け付けた利用者ＩＤが監視領域に最初に帰宅した子供である旨を、監視センタ３００から受信したか否かの判断をする（ステップＳ１６０７）。そして、送受信部２５９が、受け付けた利用者ＩＤが最初に帰宅した子供である旨を監視センタ３００から受信しなかった場合（ステップＳ１６０７：Ｎｏ）、そのまま処理を抜ける。
【０１５４】
一方、送受信部２５９によって、受け付けた利用者ＩＤが最初に帰宅した子供である旨を受信した場合（ステップＳ１６０７：Ｙｅｓ）、警備モード切替部１５１は、最初に帰宅した子供の検知信号を異常信号としないよう、警備モード記憶部１５２に記憶されている警備モードを、警備解除状態に記憶させることによって、警備解除状態に切替設定をする（ステップＳ１６０８）。
【０１５５】
次に、ステップＳ１６０４に戻って、利用者により外出ボタンが押下された場合（ステップＳ１６０４：外出）、送受信部２５９は、受け付けた利用者ＩＤが利用者データベース２１７に登録されている旨、外出信号、および帰宅／外出通報禁止設定の可否、利用者が子供である場合は帰宅予定時刻を、監視センタ３００に送信する（ステップＳ１６０９）と、監視センタ３００において後述する外出通報処理が行われる。
【０１５６】
次に、送受信部２５９は、操作表示部１０２によって受け付けた利用者ＩＤが監視領域から最後に外出した子供である旨を、監視センタ３００から受信したか否かの判断をする（ステップＳ１６１０）。そして、送受信部２５９が、受け付けた利用者ＩＤが最後に外出した子供である旨を監視センタ３００から受信しなかった場合は（ステップＳ１６１０：Ｎｏ）、そのまま処理を抜ける。
【０１５７】
一方、送受信部２５９によって、受け付けた利用者ＩＤが最後に外出した子供である旨を受信した場合（ステップＳ１６１０：Ｙｅｓ）、警備モード切替部１５１は、子供が最後に外出した後の監視領域の警備を行うよう、警備モード記憶部１５２に記憶されている警備モードを、警備状態に記憶させることによって、警備状態に切替設定をする（ステップＳ１６１１）。
【０１５８】
次に、図１７は、本実施の形態にかかる警備システム２００の監視センタ３００側における帰宅通報処理の手順を示すフローチャートである。
【０１５９】
まず、図１６のステップＳ１６０６で警備装置２１０から送信された、警備装置２１０で受け付けた利用者ＩＤが利用者データベース２１７に登録されている旨、帰宅信号および帰宅／外出通報禁止設定の可否を、送受信部３２１によって受信する（ステップＳ１７０１）。次に、帰宅処理部３２３は、受信した利用者ＩＤが、通報先データベース３３０の受信した利用者ＩＤに対応する在宅状況に、帰宅した旨、即ち、「在宅」の登録をする（ステップＳ１７０２）。また、帰宅処理部３２３は、現状記憶部３４０に受信した帰宅／外出通報禁止設定の可否を保存して更新する（ステップＳ１７０３）。
【０１６０】
次に、帰宅処理部３２３は、受信した利用者ＩＤが子供のものであるか、親のものであるかの判断をする（ステップＳ１７０４）。そして、帰宅処理部３２３は、受け付けた利用者ＩＤが親のものであった場合（ステップＳ１７０４：親）、そのまま処理を抜ける。
【０１６１】
一方、帰宅処理部３２３によって受け付けた利用者ＩＤが子供のものであった場合（ステップＳ１７０４：子）、帰宅処理部３２３は、通報先データベース３３０に登録されている親の利用者ＩＤが在宅または外出のいずれであるかの判断をする（ステップＳ１７０５）。次に、通報先データベース３３０に登録されている親の利用者ＩＤが在宅であった場合（ステップＳ１７０５：Ｙｅｓ）、帰宅処理部３２３は、外出中の子供が帰宅したことにより、外出中の子供が減少したため、現状記憶部３４０に記憶されている外出中の子供の人数を「１」減少させて記憶する（ステップＳ１７０６）。そして、親が一人でも在宅していれば、親が子供の帰宅を把握できるため、処理を抜ける。
【０１６２】
一方、通報先データベース３３０に登録されている親の利用者ＩＤが全て外出であった場合（ステップＳ１７０５：Ｎｏ）、帰宅処理部３２３は、現状記憶部３４０に記憶されている現在の外出中の子供の人数を取得し（ステップＳ１７０７）、取得した外出中の子供の人数が子供の全人数であるか否かを調べることによって、最初に帰宅したか否かを判断する（ステップＳ１７０８）。そして、取得した外出中の子供の人数が子供の全人数である場合（ステップＳ１７０８：Ｙｅｓ）、送受信部３２１は、受信した利用者ＩＤが最初に帰宅した子供である旨を、警備装置２１０に送信する（ステップＳ１７０９）。
【０１６３】
一方、取得した外出中の子供の人数が全人数でない場合（ステップＳ１７０８：Ｎｏ）、全人数より少ないため、既に帰宅している子供がいると判断することになる。従って、警備モードが警備解除状態になっていると考えられ、警備モードの切替設定を行う必要がないため、警備装置２１０にその旨は送信しない。そして、帰宅処理部３２３は、外出中の子供が帰宅したことにより、外出中の子供が減少したため、現状記憶部３４０に記憶されている外出中の子供の人数を「１」減少させて記憶する（ステップＳ１７１０）。
【０１６４】
次に、現状記憶部３４０に記憶されている帰宅／外出通報禁止設定がＯＮになっているか否かの判断をする（ステップＳ１７１１）。そして、現状記憶部３４０に記憶されている帰宅／外出通報禁止設定がＯＮになっている場合（ステップＳ１７１１：Ｙｅｓ）、帰宅情報の送信は不要であるため、処理を抜ける。一方、現状記憶部３４０に記憶されている帰宅／外出通報禁止設定がＯＮになっていない場合（ステップＳ１７１１：Ｎｏ）、帰宅処理部３２３は、子供の帰宅情報を親の通報先端末に送信する（ステップＳ１７１２）。
【０１６５】
次に、図１８は、本実施の形態にかかる警備システム２００の監視センタ３００側における外出通報処理の手順を示すフローチャートである。
【０１６６】
まず、図１６のステップＳ１６０９で警備装置２１０から送信された、警備装置２１０で受け付けた利用者ＩＤが利用者データベース２１７に登録されている旨、外出信号および帰宅／外出通報禁止設定の可否、利用者が子供である場合は帰宅予定時刻を、送受信部３２１によって受信する（ステップＳ１８０１）。次に、外出処理部３２４は、受信した利用者ＩＤが、通報先データベース３３０の受信した利用者ＩＤに対応する在宅状況に、帰宅した旨、即ち、「在宅」の登録をする（ステップＳ１８０２）。また、外出処理部３２４は、現状記憶部３４０に受信した帰宅／外出通報禁止設定の可否を保存して更新する（ステップＳ１８０３）。
【０１６７】
次に、外出処理部３２４は、受信した利用者ＩＤが子供のものであるか、親のものであるかの判断をする（ステップＳ１８０４）。そして、外出処理部３２４は、受け付けた利用者ＩＤが親のものであった場合（ステップＳ１８０４：親）、そのまま処理を抜ける。
【０１６８】
一方、外出処理部３２４によって受け付けた利用者ＩＤが子供のものであった場合（ステップＳ１８０４：子）、外出処理部３２４は、送受信部３２１によって受信した帰宅予定時刻の中で、現在の時刻以降の一番近い帰宅予定時刻を、通報先データベース３３０の帰宅予定時刻に記憶させることによって更新する（ステップＳ１８０５）。
【０１６９】
そして、外出処理部３２４は、通報先データベース３３０に登録されている親の利用者ＩＤが在宅または外出のいずれであるかの判断をする（ステップＳ１８０６）。そして、通報先データベース３３０に登録されている親の利用者ＩＤが在宅であった場合（ステップＳ１８０６：Ｙｅｓ）、外出処理部３２４は、子供が外出したことにより、外出中の子供が増加したため、現状記憶部３４０に記憶されている外出中の子供の人数を「１」増加させて記憶する（ステップＳ１８０７）。そして、親が一人でも在宅していれば、親が子供の外出を把握できるため、処理を抜ける。
【０１７０】
一方、通報先データベース３３０に登録されている親の利用者ＩＤが全て外出であった場合（ステップＳ１８０６：Ｎｏ）、外出処理部３２４は、現状記憶部３４０に記憶されている現在の外出中の子供の人数を取得し（ステップＳ１８０８）、取得した外出中の子供の人数が（子供の全人数−１人）であるか否かを調べることによって、その子供が最後の外出者か否かを判断する（ステップＳ１８０９）。そして、取得した外出中の子供の人数が（子供の全人数−１人）である場合（ステップＳ１８０９：Ｙｅｓ）、送受信部３２１は、受信した利用者ＩＤが最後に外出した子供である旨を、警備装置２１０に送信する（ステップＳ１８１０）。
【０１７１】
一方、取得した外出中の子供の人数が全人数−１人でない場合（ステップＳ１８０９：Ｎｏ）、在宅している子供が１人以上いると判断することになる。従って、警備モードが警備解除状態になっていると考えられるが、警備モードを警備状態に切替える必要がないため、警備装置２１０にその旨は送信しない。そして、外出処理部３２４は、子供が外出したことにより、外出中の子供が増加したため、現状記憶部３４０に記憶されている外出中の子供の人数を「１」増加させて記憶する（ステップＳ１８１１）。
【０１７２】
次に、現状記憶部３４０に記憶されている帰宅／外出通報禁止設定がＯＮになっているか否かの判断をする（ステップＳ１８１２）。そして、現状記憶部３４０に記憶されている帰宅／外出通報禁止設定がＯＮになっている場合（ステップＳ１８１２：Ｙｅｓ）、外出情報の送信は不要であるため、処理を抜ける。一方、現状記憶部３４０に記憶されている帰宅／外出通報禁止設定がＯＮになっていない場合（ステップＳ１８１２：Ｎｏ）、外出処理部３２４は、子供の外出情報を親の通報先端末に送信する（ステップＳ１８１３）。
【０１７３】
次に、本実施の形態にかかる警備システム２００における帰宅遅延通報処理について説明する。図１９は、本実施の形態にかかる警備システム２００の監視センタ３００側における帰宅遅延通報処理の手順を示すフローチャートである。
【０１７４】
まず、帰宅処理部３２３は、現状記憶部３４０に外出中の子供が記憶されているか否かの判断をする（ステップＳ１９０１）。そして、現状記憶部３４０に外出中の子供が記憶されていない場合（ステップＳ１９０１：Ｎｏ）、再度、ステップＳ１９０１の処理を行う。
【０１７５】
一方、現状記憶部３４０に外出中の子供が記憶されている場合（ステップＳ１９０１：Ｙｅｓ）、帰宅処理部３２３は、通報先データベース３３０に登録されている外出中の子供の帰宅予定時刻を取得し（ステップＳ１９０２）、現在の時刻を取得する（ステップＳ１９０３）。そして、帰宅処理部３２３は、外出中の子供の帰宅予定時刻が経過しているか否かの判断をする（ステップＳ１９０４）。外出中の子供の帰宅予定時刻が経過していない場合（ステップＳ１９０４：Ｎｏ）、再度、ステップＳ１９０２の処理を行う。
【０１７６】
一方、外出中の子供の帰宅予定時刻が経過している場合（ステップＳ１９０４：Ｙｅｓ）、送受信部３２１は、外出中の子供の帰宅予定時刻が経過した旨を、警備装置２１０に送信する（ステップＳ１９０５）と、警備装置２１０において所定の処理がなされる。
【０１７７】
次に、送受信部３２１は、帰宅予定時刻が経過している外出中の子供の帰宅信号を、警備装置２１０から受信したか否かの判断をする（ステップＳ１９０６）。
【０１７８】
そして、送受信部３２１によって、帰宅予定時刻が経過している外出中の子供の帰宅信号を、警備装置２１０から受信しなかった場合（ステップＳ１９０６：Ｎｏ）、位置情報取得部３２２は、外出中の子供の所持する携帯端末にアクセスして、現在の子供の位置を示すＵＲＬを位置情報として取得する（ステップＳ１９０７）。そして、帰宅処理部３２３は、親の通報先端末に、外出中の子供の帰宅予定時刻が経過している旨の帰宅遅延情報、および位置情報取得部３２２によって取得された外出中の子供の位置情報を送信する（ステップＳ１９０８）。
【０１７９】
一方、ステップＳ１９０６において、送受信部３２１が、帰宅予定時刻が経過している外出中の子供の帰宅信号を、警備装置２１０から受信した場合（ステップＳ１９０６：Ｙｅｓ）、その子供が帰宅しているため、ステップＳ１９０９の処理へ移動する。
【０１８０】
そして、帰宅処理部３２３は、現状記憶部３４０に他の外出中の子供が記憶されているか否かの判断をする（ステップＳ１９０９）。そして、現状記憶部１１８に外出中の子供が記憶されている場合（ステップＳ１９０９：Ｙｅｓ）、再度、ステップＳ１９０２の処理を行う。一方、現状記憶部３４０に外出中の子供が記憶されていない場合（ステップＳ１９０９：Ｎｏ）、処理を終了する。
【０１８１】
次に、図２０は、本実施の形態にかかる警備システム２００の警備装置２１０側における帰宅遅延通報処理の手順を示すフローチャートである。
【０１８２】
まず、図１９のステップＳ１９０５で監視センタ３００から送信された、外出中の子供の帰宅予定時刻が経過した旨を、送受信部２５９によって受信する（ステップＳ２００１）。次に、報知部１５６は、帰宅予定時刻が経過している外出中の子供が帰宅した際に、操作表示部１０２に表示された帰宅ボタンを押下し忘れた可能性があるため、帰宅ボタンを押下することによる帰宅信号の入力を促す報知をする（ステップＳ２００２）。
【０１８３】
そして、報知部１５６による報知がなされた後、入出力制御部２１５は、外出中の子供による帰宅信号を、予め定められた一定時間内に操作表示部１０２により受け付けたか否かの判断をする（ステップＳ２００３）。外出中の子供による帰宅信号を操作表示部１０２により受け付けなかった場合（ステップＳ２００３：Ｎｏ）、そのまま処理を抜ける。
【０１８４】
一方、先の外出中の子供による帰宅信号を操作表示部１０２により受け付けた場合（ステップＳ２００３：Ｙｅｓ）、送受信部２５９は、操作表示部１０２により受け付けた外出中の子供の帰宅信号を、監視センタ３００に送信する（ステップＳ２００４）。
【０１８５】
このように、第２の実施の形態では、ＲＦＩＤ検知部１０３によって、ＲＦＩＤ検知部１０３によって、住戸の出入り口において、利用者ＩＤの入力を受け付け、認証部１５３によって、受け付けた利用者ＩＤが登録されているか否かを照合することにより利用者認証を行い、操作表示部１０２によって、住戸の出入り口において、認証された子供の帰宅信号または外出信号のいずれかの行動選択を受け付け、送受信部２５９によって、認証された利用者ＩＤおよび受け付けた帰宅信号または外出信号を、監視センタ３００に送信し、送受信部３２１によって、警備装置２１０から利用者ＩＤおよび帰宅信号または外出信号を受信し、帰宅処理部３２３によって、受信した利用者ＩＤの帰宅情報を親の通報先に送信し、外出処理部３２４によって、受信した利用者ＩＤの外出情報を親の通報先に送信する。従って、監視領域における子供の帰宅情報および外出情報を監視センタ３００から親に送信するため、監視センタ３００において利用者の情報を一括して管理できるとともに、親が監視領域における子供の状況を正確に把握することができる。
【０１８６】
また、最初に子供が帰宅すると、警備状態に設定されている場合でも、警備解除状態に切替設定がなされ、帰宅した子供が監視領域に入室することによる異常を検知しても通報が行われないため、警備装置２１０が誤作動することがなく、無用な通報がなされることがない。また、最後に外出する子供が監視領域から退室し、警備解除状態に設定されている場合でも、警備状態に切替設定がなされ、その後の監視領域の警備が行われるため、利用者は、安心して監視領域から外出することができる。更に、通報を受ける親が在宅している場合や、帰宅／外出通報禁止設定がなされている場合は、子供の帰宅情報および外出情報を送信しないため、無用な通報を回避することができる。
【０１８７】
また、子供が帰宅予定時刻に帰宅していない場合、帰宅情報を送信しないだけでなく、帰宅遅延情報および位置情報を送信することにより、親は、子供が監視領域に帰宅していない旨、および子供の現在の位置をより正確に把握することができ、安心を得ることができる。更に、子供が帰宅信号の操作入力を忘れてしまった場合でも、報知によって操作入力を忘れていることを知らしめることができるため、その後に操作入力を行うことにより、帰宅遅延情報や位置情報の無用な通報を回避できる。
【０１８８】
なお、第２の実施の形態では、現状記憶部３４０を設けて子供の人数や、現在外出中の子供の人数を記憶させ、この現状記憶部３４０の内容によって、最初に帰宅した子供であるか否かおよび最後に外出した子供であるか否か等の判断を行う構成としているが、これに限定されるものではなく、通報先データベース３３０の内容をもとに判断する構成であればよい。例えば、現状記憶部３４０を設けずに、最初に帰宅した子供であるか否かおよび最後に外出した子供であるか否かを判断する際に、その都度通報先データベース３３０の親／子情報と在宅状況とを参照して、読み取った情報から子供の人数、現在外出中の子供の人数を求めて、最初に帰宅した子供であるか否かおよび最後に外出した子供であるか否か等を判断するように構成してもよい。
【０１８９】
また、第１の実施の形態および第２の実施の形態では、外出している子供が一旦帰宅した後に再度外出する場合、外出時に子供のＲＦＩＤタグから受け付けた帰宅予定時刻を更新するように構成しているが、親が通報先端末から再度外出した子供の外出情報を受信した後に、その親自身が通報先端末等から、該再度外出した子供の帰宅予定時刻を更新するように構成してもよい。もしくは、一旦子供が帰宅し、その帰宅情報を親の通報先端末に送信した後は、再度子供が外出したとしても、一切監視しないように構成してもよい。
【０１９０】
さらに、第１の実施の形態および第２の実施の形態では、警備装置により監視領域の警備モードとして警備状態と警備解除状態のみを設定可能としているが、この他にも各種の状態を警備モードとして設定することが可能である。
【０１９１】
加えて、第１の実施の形態および第２の実施の形態では、警備モード記憶部１５２に各種警備状態若しくは警備解除状態を記憶させることによって、現在の警備モードの切替えを行っているが、警備モードの切替え方法はこれに限定されるものではなく、現在の警備モードとしての各種警備状態若しくは警備解除状態を保持できる手法であれば、いずれの手法で警備モードの切替えを行ってもよい。
【図面の簡単な説明】
【０１９２】
【図１】第１の実施の形態にかかる警備システムの構成を示すブロック図である。
【図２】利用者データベース１１７のデータ構成の一例を示すデータ構造図である。
【図３】現状記憶部１１８の構成の一例を示す模式図である。
【図４−１】第１の実施の形態にかかる警備装置１１０の帰宅／外出通報処理の手順    を示すフローチャートである。
【図４−２】第１の実施の形態にかかる警備装置１１０の帰宅／外出通報処理の手順    を示すフローチャート（続き）である。
【図４−３】第１の実施の形態にかかる警備装置１１０の帰宅／外出通報処理の手順    を示すフローチャート（続き）である。
【図５】操作表示部１０２に表示された操作画面の一例を示す模式図である。
【図６】子供の帰宅情報を受信した場合における親の通報先端末の表示部の一例を示      す模式図である。
【図７】子供の外出情報を受信した場合における親の通報先端末の表示部の一例を示    す模式図である。
【図８】第１の実施の形態にかかる警備装置１１０の帰宅遅延通報処理の手順を示す    フローチャートである。
【図９】子供の帰宅遅延情報および位置情報を受信した場合における親の通報先端末    １３０の表示部の一例を示す模式図である。
【図１０】第２の実施の形態にかかる警備システムの構成を示すブロック図である。
【図１１】利用者データベース２１７のデータ構成の一例を示すデータ構造図である    。
【図１２】第２の実施の形態にかかる監視センタ３００の構成を示すブロック図であ    る。
【図１３】通報先データベース３３０のデータ構成の一例を示すデータ構造図である    。
【図１４】現状記憶部３４０の構成の一例を示す模式図である。
【図１５】第２の実施の形態にかかる警備システム２００の帰宅／外出通報処理の手    順を示すシーケンス図である。
【図１６】第２の実施の形態にかかる警備システム２００の警備装置２１０側におけ    る帰宅／外出通報処理の手順を示すフローチャートである。
【図１７】第２の実施の形態にかかる警備システム２００の監視センタ３００側にお    ける帰宅通報処理の手順を示すフローチャートである。
【図１８】第２の実施の形態にかかる警備システム２００の監視センタ３００側にお    ける外出通報処理の手順を示すフローチャートである。
【図１９】第２の実施の形態にかかる警備システム２００の監視センタ３００側にお    ける帰宅遅延通報処理の手順を示すフローチャートである。
【図２０】第２の実施の形態にかかる警備システム２００の警備装置２１０側におけ    る帰宅遅延通報処理の手順を示すフローチャートである。
【符号の説明】
【０１９３】
１００，２００  警備システム
１１０，２１０  警備装置
１２０  ネットワーク
１３０  通報先端末
１０１  コントローラ
１０２  操作表示部
１０３  ＲＦＩＤ検知部
１１５  入出力制御部
１１６  通信制御部
１１７，２１７  利用者データベース
１１８，３４０  現状記憶部
１５０，２５０，３２０  制御部
１５１  警備モード切替部
１５２  警備モード記憶部
１５３  認証部
１５４，３２２  位置情報取得部
１５５  異常通報部
１５６  報知部
１５７，３２３  帰宅処理部
１５８，３２４  外出処理部
２５９，３２１  送受信部
３００  監視センタ
３１０  通信制御部
３３０  通報先データベース
【図１】
2007133693.tif 000003
【図２】
2007133693.tif 000004
【図３】
2007133693.tif 000005
【図４−１】
2007133693.tif 000006
【図４−２】
2007133693.tif 000007
【図４−３】
2007133693.tif 000008
【図５】
2007133693.tif 000009
【図６】
2007133693.tif 000010
【図７】
2007133693.tif 000011
【図８】
2007133693.tif 000012
【図９】
2007133693.tif 000013
【図１０】
2007133693.tif 000014
【図１１】
2007133693.tif 000015
【図１２】
2007133693.tif 000016
【図１３】
2007133693.tif 000017
【図１４】
2007133693.tif 000018
【図１５】
2007133693.tif 000019
【図１６】
2007133693.tif 000020
【図１７】
2007133693.tif 000021
【図１８】
2007133693.tif 000022
【図１９】
2007133693.tif 000023
【図２０】
2007133693.tif 000024